(57)【要約】【課題】  潤滑性と炭化物抑制性との双方を高水準で達成可能な圧縮機用潤滑油組成物を提供すること。【解決手段】  本発明の圧縮機用潤滑油組成物は、エステルを基油とし、組成物全量を基準として、ポリブテン又はその水素化物０．００１〜１０質量％と、特定の炭化物抑制剤０．００１〜１０質量％と、を含有する。【選択図】  なし【特許請求の範囲】
【請求項１】
エステルを基油とし、組成物全量を基準として、
ポリブテン又はその水素化物０．００１〜１０質量％と、
アミン系化合物、フェノール系化合物、スルホネート系化合物、フェネート系化合物、サリシレート系化合物、コハク酸イミド系化合物、並びに下記一般式（１）〜（３）で表される化合物の少なくとも１種と下記一般式（４）、（５）で表される化合物の少なくとも１種との共重合体及びその水素化物、から選ばれる少なくとも１種の炭化物抑制剤０．００１〜１０質量％と、
を含有することを特徴とする圧縮機用潤滑油組成物。
【化１】
2005036194.tif 000038
【化２】
2005036194.tif 000039
【化３】
2005036194.tif 000040
【化４】
2005036194.tif 000041
【化５】
2005036194.tif 000042
［式中、Ｒ１、Ｒ３、Ｒ７及びＲ９はそれぞれ水素原子又はメチル基を示し、Ｒ２はアルキル基を示し、Ｒ４は炭化水素基を示し、Ｒ５及びＲ６は同一でも異なっていてもよく、それぞれ水素原子、アルコキシ基又はモノアルキルアミノ基を示し、Ｒ８はアルキレン基を示し、Ｙ１及びＹ２はそれぞれ窒素原子数が１個又は２個且つ酸素原子数が０〜２個のアミン残基又は複素環残基を示し、ｊは０又は１を示す。］
【発明の詳細な説明】
【技術分野】
【０００１】
本発明は、圧縮機用潤滑油組成物に関する。
【背景技術】
【０００２】
圧縮機は、所定ガス（空気、窒素ガス、酸素ガス、アンモニアガス、炭化水素ガス、燃焼排ガス、燃焼ガス、ＣＯ２ガス、ＣＯガス等）に外部から仕事を与え、これを圧縮して送り出す機械である。圧縮機はガスの圧力を高める作動原理により容積型とターボ型とに大別され、さらに容積型圧縮機は往復動式圧縮機と回転式圧縮機に分類される。
【０００３】
これらの圧縮機の作動には潤滑油が使用されるが、ガスの圧縮に伴い発生する熱により潤滑油が炭化して作動不良を引き起こすことがある。例えば往復動式空気圧縮機の場合、ピストンの往復動の際に潤滑油が圧縮空気中に混入すると、潤滑油の炭化物が弁の周囲に付着して弁の作動不良が起こりやすくなる。
【０００４】
そのため、圧縮機用潤滑油には、炭化物が生成又は付着しにくいという特性（以下、炭化物抑制性という）が要求される。炭化物抑制性が付与された圧縮機用潤滑油としては、例えば、トリメリット酸トリエステルを基油とし、特定のアミン系化合物を添加したものがある（例えば、特許文献１参照）。
【特許文献１】特開平１−２０４９９５号公報
【発明の開示】
【発明が解決しようとする課題】
【０００５】
しかし、炭化物抑制性を高めようとすると、圧縮機用潤滑油に要求される他の特性が損なわれることがある。特に、潤滑性は圧縮機における異常摩耗を防止する点で非常に重要であるが、潤滑性を高水準に維持しつつ十分な炭化物抑制性を達成することは困難である。
【０００６】
本発明は、このような実情に鑑みてなされたものであり、潤滑性と炭化物抑制性との双方を高水準で達成可能な圧縮機用潤滑油組成物を提供することを目的とする。
【課題を解決するための手段】
【０００７】
上記課題を解決するために、本発明の圧縮機油組成物は、（Ａ）エステルを基油とし、組成物全量を基準として、（Ｂ）ポリブテン又はその水素化物０．００１〜１０質量％と、（Ｃ）アミン系化合物、フェノール系化合物、スルホネート系化合物、フェネート系化合物、サリシレート系化合物、コハク酸イミド系化合物、並びに下記一般式（１）〜（３）で表される化合物の少なくとも１種と下記一般式（４）、（５）で表される化合物の少なくとも１種との共重合体及びその水素化物、から選ばれる少なくとも１種の炭化物抑制剤０．００１〜１０質量％と、を含有することを特徴とする。
【０００８】
【化１】
2005036194.tif 000002
【０００９】
【化２】
2005036194.tif 000003
【００１０】
【化３】
2005036194.tif 000004
【００１１】
【化４】
2005036194.tif 000005
【００１２】
【化５】
2005036194.tif 000006
［式中、Ｒ１、Ｒ３、Ｒ７及びＲ９はそれぞれ水素原子又はメチル基を示し、Ｒ２はアルキル基を示し、Ｒ４は炭化水素基を示し、Ｒ５及びＲ６は同一でも異なっていてもよく、それぞれ水素原子、アルコキシ基又はモノアルキルアミノ基を示し、Ｒ８はアルキレン基を示し、Ｙ１及びＹ２はそれぞれ窒素原子数が１個又は２個且つ酸素原子数が０〜２個のアミン残基又は複素環残基を示し、ｊは０又は１を示す。］
本発明の圧縮機油組成物においては、（Ａ）エステルを基油とし、当該基油に（Ｂ）ポリブテン又はその水素化物並びに（Ｃ）上記特定の炭化物抑制剤をそれぞれ特定量含有せしめることによって、潤滑性と炭化物抑制性との双方を十分に高めることができる。従って、本発明の圧縮機油組成物を用いることによって、異常摩耗や潤滑油の炭化が十分に防止されるため、圧縮機を長期にわたって安定的に作動させることができる。
【発明の効果】
【００１３】
本発明の圧縮機用潤滑油組成物によれば、異常摩耗や潤滑油の炭化を十分に防止することができ、圧縮機を長期にわたって安定的に作動させることができる。
【発明を実施するための最良の形態】
【００１４】
以下、本発明の好適な実施形態について詳細に説明する。
【００１５】
本発明の圧縮機用潤滑油組成物における基油は（Ａ）エステルである。
【００１６】
エステルとしては、任意のものが使用可能である。エステルを構成するアルコールとしては、１価アルコールでも多価アルコールでも良く、酸としては一塩基酸でも多塩基酸であっても良い。
【００１７】
１価アルコールとしては、通常炭素数１〜２４、好ましくは１〜１２、より好ましくは１〜８のものが用いられる。かかるアルコールは直鎖のものでも分岐のものでも良く、また飽和のものであっても不飽和のものであっても良い。炭素数１〜２４のアルコールとしては、具体的には例えば、メタノール、エタノール、直鎖状又は分岐状のプロパノール、直鎖状又は分岐状のブタノール、直鎖状又は分岐状のペンタノール、直鎖状又は分岐状のヘキサノール、直鎖状又は分岐状のヘプタノール、直鎖状又は分岐状のオクタノール、直鎖状又は分岐状のノナノール、直鎖状又は分岐状のデカノール、直鎖状又は分岐状のウンデカノール、直鎖状又は分岐状のドデカノール、直鎖状又は分岐状のトリデカノール、直鎖状又は分岐状のテトラデカノール、直鎖状又は分岐状のペンタデカノール、直鎖状又は分岐状のヘキサデカノール、直鎖状又は分岐状のヘプタデカノール、直鎖状又は分岐状のオクタデカノール、直鎖状又は分岐状のノナデカノール、直鎖状又は分岐状のイコサノール、直鎖状又は分岐状のヘンイコサノール、直鎖状又は分岐状のトリコサノール、直鎖状又は分岐状のテトラコサノール及びこれらの混合物等が挙げられる。
【００１８】
多価アルコールとしては、通常２〜１０価、好ましくは２〜６価のものが用いられる。２〜１０価多価アルコールとしては、具体的には例えば、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン等）、トリメチロールアルカン（トリメチロールエタン、トリメチロールプロパン、トリメチロールブタン等）及びこれらの２〜８量体、ペンタエリスリトール及びこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；キシロース、アラビノース、リボース、ラムノース、グルコース、フルクトース、ガラクトース、マンノース、ソルボース、セロビオース、マルトース、イソマルトース、トレハロース、スクロース等の糖類、及びこれらの２種以上の混合物等が挙げられる。
【００１９】
これらの中でも特に、エチレングリコール、ジエチレングリコール、ポリエチレングリコール（より好ましくはエチレングリコールの３〜１０量体）、プロピレングリコール、ジプロピレングリコール、ポリプロピレングリコール（より好ましくはプロピレングリコールの３〜１０量体）、１，３−プロパンジオール、２−メチル−１，２−プロパンジオール、２−メチル−１，３−プロパンジオール、ネオペンチルグリコール、グリセリン、ジグリセリン、トリグリセリン、トリメチロールアルカン（トリメチロールエタン、トリメチロールプロパン、トリメチロールブタン等）及びこれらの２〜４量体、ペンタエリスリトール、ジペンタエリスリトール１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の２〜６価の多価アルコール及びこれらの２種以上の混合物が好ましく、エチレングリコール、プロピレングリコール、ネオペンチルグリコール、グリセリン、トリメチロールエタン、トリメチロールプロパン、ペンタエリスリトール、ソルビタン、及びこれらの２種以上の混合物がさらに好ましい。
【００２０】
一塩基酸としては、通常、炭素数２〜２４の脂肪酸又は芳香族酸が用いられる。
【００２１】
脂肪酸としては直鎖のものでも分岐のものでも良く、また飽和のものでも不飽和のものでも良い。具体的には、例えば、酢酸、プロピオン酸、直鎖状又は分岐状のブタン酸、直鎖状又は分岐状のペンタン酸、直鎖状又は分岐状のヘキサン酸、直鎖状又は分岐状のヘプタン酸、直鎖状又は分岐状のオクタン酸、直鎖状又は分岐状のノナン酸、直鎖状又は分岐状のデカン酸、直鎖状又は分岐状のウンデカン酸、直鎖状又は分岐状のドデカン酸、直鎖状又は分岐状のトリデカン酸、直鎖状又は分岐状のテトラデカン酸、直鎖状又は分岐状のペンタデカン酸、直鎖状又は分岐状のヘキサデカン酸、直鎖状又は分岐状のヘプタデカン酸、直鎖状又は分岐状のオクタデカン酸、直鎖状又は分岐状のヒドロキシオクタデカン酸、直鎖状又は分岐状のノナデカン酸、直鎖状又は分岐状のイコサン酸、直鎖状又は分岐状のヘンイコサン酸、直鎖状又は分岐状のドコサン酸、直鎖状又は分岐状のトリコサン酸、直鎖状又は分岐状のテトラコサン酸等の飽和脂肪酸、アクリル酸、直鎖状又は分岐状のブテン酸、直鎖状又は分岐状のペンテン酸、直鎖状又は分岐状のヘキセン酸、直鎖状又は分岐状のヘプテン酸、直鎖状又は分岐状のオクテン酸、直鎖状又は分岐状のノネン酸、直鎖状又は分岐状のデセン酸、直鎖状又は分岐状のウンデセン酸、直鎖状又は分岐状のドデセン酸、直鎖状又は分岐状のトリデセン酸、直鎖状又は分岐状のテトラデセン酸、直鎖状又は分岐状のペンタデセン酸、直鎖状又は分岐状のヘキサデセン酸、直鎖状又は分岐状のヘプタデセン酸、直鎖状又は分岐状のオクタデセン酸、直鎖状又は分岐状のヒドロキシオクタデセン酸、直鎖状又は分岐状のノナデセン酸、直鎖状又は分岐状のイコセン酸、直鎖状又は分岐状のヘンイコセン酸、直鎖状又は分岐状のドコセン酸、直鎖状又は分岐状のトリコセン酸、直鎖状又は分岐状のテトラコセン酸等の不飽和脂肪酸、及びこれらの混合物等が挙げられる。
【００２２】
芳香族一塩基酸としては、具体的には例えば、安息香酸等が挙げられる。
【００２３】
多塩基酸としては炭素数２〜１６の脂肪族二塩基酸及び芳香族多塩基酸等が挙げられる。
【００２４】
炭素数２〜１６の鎖状二塩基酸としては、直鎖のものでも分岐のものでも良く、また飽和のものでも不飽和のものでも良い。具体的には例えば、エタン二酸（シュウ酸）、プロパン二酸（マロン酸）、直鎖状又は分岐状のブタン二酸（コハク酸等）、直鎖状又は分岐状のペンタン二酸（グルタル酸等）、直鎖状又は分岐状のヘキサン二酸（アジピン酸等）、直鎖状又は分岐状のヘプタン二酸（ピメリン酸等）、直鎖状又は分岐状のオクタン二酸（スベリン酸等）、直鎖状又は分岐状のノナン二酸（アゼライン酸等）、直鎖状又は分岐状のデカン二酸（セバシン酸等）、直鎖状又は分岐状のウンデカン二酸、直鎖状又は分岐状のドデカン二酸、直鎖状又は分岐状のトリデカン二酸、直鎖状又は分岐状のテトラデカン二酸、直鎖状又は分岐状のヘプタデカン二酸、直鎖状又は分岐状のヘキサデカン二酸、直鎖状又は分岐状のヘキセン二酸、直鎖状又は分岐状のヘプテン二酸、直鎖状又は分岐状のオクテン二酸、直鎖状又は分岐状のノネン二酸、直鎖状又は分岐状のデセン二酸、直鎖状又は分岐状のウンデセン二酸、直鎖状又は分岐状のドデセン二酸、直鎖状又は分岐状のトリデセン二酸、直鎖状又は分岐状のテトラデセン二酸、直鎖状又は分岐状のヘプタデセン二酸、直鎖状又は分岐状のヘキサデセン二酸及びこれらの混合物等が挙げられる。
【００２５】
芳香族多塩基酸としては、具体的には例えば、安息香酸、フタル酸、イソフタル酸、テレフタル酸、トリメリット酸、ピロメリット酸等が挙げられる。
【００２６】
本発明にかかるエステルを構成するアルコールと酸との組み合わせは任意であって特に限定されないが、下記（ｉ）〜（ｖｉｉ）に示す組み合わせが好ましい。
【００２７】
（ｉ）１価アルコールと一塩基酸とのエステル
（ｉｉ）多価アルコールと一塩基酸とのエステル
（ｉｉｉ）１価アルコールと多塩基酸とのエステル
（ｉｖ）多価アルコールと多塩基酸とのエステル
（ｖ）１価アルコール及び多価アルコールの混合アルコールと多塩基酸とのエステル
（ｖｉ）多価アルコールと一塩基酸及び多塩基酸の混合酸とのエステル
（ｖｉｉ）１価アルコール及び多価アルコールの混合アルコールと一塩基酸及び多塩基酸の混合酸とのエステル。
【００２８】
なお、当然のことながら、１価アルコール、多価アルコール、一塩基酸及び多塩基酸のそれぞれは１種であっても２種以上であっても良い。また、エステルは、分子中の水酸基又はカルボキシル基の全てがエステル化された完全エステルであっても良く、あるいは水酸基又はカルボキシル基の一部がエステル化されていない部分エステルであっても良いが、完全エステルであることが好ましい。
【００２９】
上記（ｉ）〜（ｖｉｉ）のエステル中でも、潤滑性と炭化物抑制性との双方が一層高められる点から、（ｉｉ）多価アルコールと一塩基酸とのエステル、並びに（ｉｉｉ）１価アルコールと多塩基酸とのエステルが好ましく、（ｉｉｉ）１価アルコールと多塩基酸とのエステルがより好ましい。
【００３０】
（ｉｉｉ）１価アルコールと多塩基酸とのエステルにおいて、１価アルコールとしては上述のものが何れも使用可能であるが、炭素数４〜１８の飽和アルコールが好ましく、炭素数６〜１６の飽和アルコールがより好ましく、炭素数８〜１４の飽和アルコールがさらにより好ましい。
【００３１】
また、（ｉｉｉ）一価アルコールと多塩基酸とのエステルにおいて、多塩基酸としては上述のものが何れも使用できるが、炭素数２〜１０の飽和鎖状二塩基酸及び芳香族多塩基酸が好ましく、炭素数４〜１０の飽和鎖状二塩基酸及び芳香族多塩基酸がより好ましく、炭素数６〜８の飽和鎖状二塩基酸及び芳香族多塩基酸がさらにより好ましく、芳香族多塩基酸がさらにより一層好ましく、トリメリット酸であることが特に好ましい。
【００３２】
本発明においては、上記エステルのうちの１種を単独で用いてもよく、２種以上を組み合わせて用いてもよい。
【００３３】
本発明において、上記エステルの粘度は特に制限されないが、潤滑性の点から、４０℃における動粘度が１０ｍｍ２／ｓ以上であることが好ましく、２０ｍｍ２／ｓ以上であることがより好ましく、３０ｍｍ２／ｓ以上であることがさらにより好ましく、４０ｍｍ２／ｓ以上であることがさらにより一層好ましく、５０ｍｍ２／ｓ以上であることが最も好ましい。また、圧縮機に適用する際の給油性及び攪拌抵抗の点から、４０℃における動粘度が５０００ｍｍ２／ｓ以下であることが好ましく、３０００ｍｍ２／ｓ以下であることがより好ましく、１０００ｍｍ２／ｓ以下であることがさらにより好ましい。
【００３４】
また、本発明において、上記エステルは基油として使用されるものであり、その含有量は特に制限されないが、通常組成物全量基準で６０質量％以上であり、好ましくは７０質量％であり、より好ましくは８０質量％以上であり、さらにより好ましくは９０質量％以上である。
【００３５】
本発明の圧縮機用潤滑油組成物は、上記したエステルを基油とするものであるが、必要に応じて鉱油、エステル以外の合成油等その他の基油を併用しても良い。
【００３６】
鉱油としては、例えば、原油を常圧蒸留及び減圧蒸留して得られた潤滑油留分に対して、溶剤脱れき、溶剤抽出、水素化分解、溶剤脱ろう、接触脱ろう、水素化精製、硫酸洗浄、白土処理等の１種若しくは２種以上の精製手段を適宜組み合わせて適用して得られるパラフィン系鉱油又はナフテン系鉱油が挙げられる。
【００３７】
合成油としては、例えば、ポリα−オレフィン（例えば、エチレン−プロピレン共重合体、１−オクテンオリゴマー、１−デセンオリゴマー、あるいはこれらの水素化物等）、アルキルベンゼン、アルキルナフタレン、ポリオキシアルキレングリコール、ポリフェニルエーテル、ジアルキルジフェニルエーテル、リン酸エステル（例えば、トリクレジルフォスフェート等）、含フッ素化合物（例えば、パーフルオロポリエーテル、フッ素化ポリオレフィン等）、シリコーン油等が挙げられる。
【００３８】
エステル以外の基油の含有量は、組成物全量基準で、好ましくは３０質量％以下、より好ましくは２０質量％以下、さらに好ましくは１０質量％以下である。
【００３９】
本発明の圧縮機用潤滑油組成物にかかる（Ｂ）成分はポリブテン又はその水素化物である。
【００４０】
ここでいうポリブテンとは、１−ブテン、２−ブテン、イソブテン等のブテン単量体を重合して得られるものである。かかるポリブテンの中でも、潤滑性向上効果に優れることから、イソブテンの重合体が好ましい。
【００４１】
また、（Ｂ）成分としては、上述のようにして得られたポリブテン中に残存する不飽和結合を水素化して得られる水素化物であってもよい。
【００４２】
（Ｂ）成分の平均分子量は特に制限されないが、潤滑性向上効果に優れることから、数平均分子量が２００以上であることが好ましく、２５０以上であることがより好ましく、３００以上であることがさらにより好ましく、３５０以上であることがさらにより一層好ましく、４００以上であることが特に好ましい。また、基油への溶解性の点から、数平均分子量が１００００以下であることが好ましく、５０００以下であることがより好ましく、３０００以下であることがさらにより好ましく、２０００以下であることがさらにより一層好ましく、１０００以下であることが特に好ましい。
【００４３】
（Ｂ）成分の粘度は特に制限されないが、潤滑性向上効果に優れることから、４０℃における動粘度が１０ｍｍ２／ｓ以上であることが好ましく、３０ｍｍ２／ｓ以上であることがより好ましく、５０ｍｍ２／ｓ以上であることがさらにより好ましく、６０ｍｍ２／ｓ以上であることがさらにより一層好ましく、７０ｍｍ２／ｓ以上であることが最も好ましい。また、基油への溶解性の点から、数平均分子量が１０００ｍｍ２／ｓ以下であることが好ましく、７００ｍｍ２／ｓ以下であることがより好ましく、５００ｍｍ２／ｓ以下であることがさらにより好ましく、３００ｍｍ２／ｓ以下であることがさらにより一層好ましく、２００ｍｍ２／ｓ以下であることが最も好ましい。
【００４４】
本発明の圧縮機用潤滑油組成物における（Ｂ）成分の含有量は、組成物全量基準で、０．００１〜１０質量％である。含有量が０．００１質量％未満であると、潤滑性が不十分となりやすい。同様の理由から、（Ｂ）成分の含有量は、０．００５質量％以上であることが好ましく、０．０１質量％以上であることがより好ましく、０．０５質量％以上であることがさらにより好ましい。また、含有量が１０質量％を超えると、油膜保持性が低下してしまう。同様の理由から、（Ｂ）成分の含有量は、７質量％以下であることが好ましく、５質量％以下であることがより好ましく、３質量％以下であることがさらにより好ましい。
【００４５】
本発明の圧縮機用潤滑油組成物にかかる（Ｃ）成分は、下記（Ｃ１）〜（Ｃ６）から選ばれる少なくとも１種の炭化物抑制剤である。
【００４６】
（Ｃ−１）アミン系化合物
（Ｃ−２）フェノール系化合物
（Ｃ−３）スルホネート系化合物
（Ｃ−４）フェネート系化合物
（Ｃ−５）サリシレート系化合物
（Ｃ−６）コハク酸イミド系化合物
（Ｃ−７）下記一般式（１）〜（３）で表される化合物の少なくとも１種と下記一般式（４）、（５）で表される化合物の少なくとも１種との共重合体及びその水素化物。
【００４７】
【化６】
2005036194.tif 000007
【００４８】
【化７】
2005036194.tif 000008
【００４９】
【化８】
2005036194.tif 000009
【００５０】
【化９】
2005036194.tif 000010
【００５１】
【化１０】
2005036194.tif 000011
［式中、Ｒ１、Ｒ３、Ｒ７及びＲ９はそれぞれ水素原子又はメチル基を示し、Ｒ２はアルキル基を示し、Ｒ４は炭化水素基を示し、Ｒ５及びＲ６は同一でも異なっていてもよく、それぞれ水素原子、アルコキシ基又はモノアルキルアミノ基を示し、Ｒ８はアルキレン基を示し、Ｙ１及びＹ２はそれぞれ窒素原子数が１個又は２個且つ酸素原子数が０〜２個のアミン残基又は複素環残基を示し、ｊは０又は１を示す。］
（Ｃ−１）アミン系化合物としては、（Ｃ−１−１）フェニル−α−ナフチルアミン系化合物、（Ｃ−１−２）ジアルキルジフェニルアミン系化合物、（Ｃ−１−３）ベンジルアミン系化合物、及び（Ｃ−１−４）ポリアミン系化合物が挙げられる。
【００５２】
（Ｃ−１−１）フェニル−α−ナフチルアミン系化合物としては、下記一般式（６）で表される化合物が好ましく用いられる。
【００５３】
【化１１】
2005036194.tif 000012
［一般式（６）中、Ｒ１０は水素原子又は炭素数１〜１６の直鎖状若しくは分枝状のアルキル基を示す。］
一般式（６）中のＲ１０がアルキル基である場合、当該アルキル基は前述の通り炭素数１〜１６の直鎖上又は分岐状のものである。このようなアルキル基としては、具体的には例えば、メチル基、エチル基、プロピル基、ブチル基、ペンチル基、ヘキシル基、ヘプチル基、オクチル基、ノニル基、デシル基、ウンデシル基、ドデシ基、トリデシル基、テトラデシル基、ペンタデシル基、及びヘキサデシル基等（これらのアルキル基は直鎖状でも分枝状でも良い）が挙げられる。なお、Ｒ１０の炭素数が１６を超える場合には分子中に占める官能基の割合が小さくなり、炭化物抑制効果に悪影響を与える恐れがある。
【００５４】
一般式（６）中のＲ１０がアルキル基である場合、より優れた炭化物抑制効果が得られることから、Ｒ１０は、炭素数８〜１６の分枝アルキル基が好ましく、さらに炭素数３又は４のオレフィンのオリゴマーから誘導される炭素数８〜１６の分枝アルキル基がより好ましい。炭素数３又は４のオレフィンとしては、具体的には、プロピレン、１−ブテン、２−ブテン及びイソブチレンが挙げられるが、より優れた炭化物抑制効果を得るためには、プロピレン又はイソブチレンが好ましい。更に優れた炭化物抑制効果を得るためには、Ｒ１０は、イソブチレンの２量体から誘導される分枝オクチル基、プロピレンの３量体から誘導される分枝ノニル基、イソブチレンの３量体から誘導される分枝ドデシル基、プロピレンの４量体から誘導される分枝ドデシル基又はプロピレンの５量体から誘導される分枝ペンタデシル基がさらにより好ましく、イソブチレンの２量体から誘導される分枝オクチル基、イソブチレンの３量体から誘導される分枝ドデシル基又はプロピレンの４量体から誘導される分枝ドデシル基が特に好ましい。
【００５５】
一般式（６）で表されるフェニル−α−ナフチルアミンとしては、市販のものを用いても良く、また合成物を用いても良い。合成物は、フリーデル・クラフツ触媒を用いて、フェニル−α−ナフチルアミンと炭素数１〜１６のハロゲン化アルキル化合物との反応、あるいはフェニル−α−ナフチルアミンと炭素数２〜１６のオレフィン又は炭素数２〜１６のオレフィンオリゴマーとの反応を行うことにより容易に合成することができる。フリーデル・クラフツ触媒としては、具体的には例えば、塩化アルミニウム、塩化亜鉛、塩化鉄等の金属ハロゲン化物；硫酸、リン酸、五酸化リン、フッ化ホウ素、酸性白土、活性白土等の酸性触媒；等を用いることができる。
【００５６】
（Ｃ−１−２）ジアルキルジフェニルアミン系化合物としては、下記一般式（７）で表されるｐ，ｐ’−ジアルキルジフェニルアミンが好ましく用いられる。
【００５７】
【化１２】
2005036194.tif 000013
［一般式（７）中、Ｒ１１及びＲ１２は同一でも異なっていてもよく、それぞれ炭素数１〜１６のアルキル基を示す。］
Ｒ１１及びＲ１２で表されるアルキル基としては、具体的には、メチル基、エチル基、プロピル基、ブチル基、ペンチル基、ヘキシル基、ヘプチル基、オクチル基、ノニル基、デシル基、ウンデシル基、ドデシ基、トリデシル基、テトラデシル基、ペンタデシル基、ヘキサデシル基等（これらのアルキル基は直鎖状でも分枝状でも良い）が挙げられる。これらの中でも、より優れた炭化物抑制効果が得られることから、Ｒ１１及びＲ１２としては、炭素数３〜１６の分枝アルキル基が好ましく、炭素数３又は４のオレフィン又はそのオリゴマーから誘導される炭素数３〜１６の分枝アルキル基がより好ましい。炭素数３又は４のオレフィンとしては、具体的にはプロピレン、１−ブテン、２−ブテン及びイソブチレン等が挙げられるが、より優れた炭化物抑制効果が得られることから、プロピレン又はイソブチレンが好ましい。また、Ｒ１１又はＲ１２としては、一層優れた炭化物抑制効果が得られることから、それぞれプロピレンから誘導されるイソプロピル基、イソブチレンから誘導されるｔｅｒｔ−ブチル基、プロピレンの２量体から誘導される分枝ヘキシル基、イソブチレンの２量体から誘導される分枝オクチル基、プロピレンの３量体から誘導される分枝ノニル基、イソブチレンの３量体から誘導される分枝ドデシル基、プロピレンの４量体から誘導される分枝ドデシル基又はプロピレンの５量体から誘導される分枝ペンタデシル基がさらにより好ましく、イソブチレンから誘導されるｔｅｒｔ−ブチル基、プロピレンの２量体から誘導される分枝ヘキシル基、イソブチレンの２量体から誘導される分枝オクチル基、プロピレンの３量体から誘導される分枝ノニル基、イソブチレンの３量体から誘導される分枝ドデシル基又はプロピレンの４量体から誘導される分枝ドデシル基が最も好ましい。
【００５８】
なお、Ｒ１１及びＲ１２の一方又は双方が水素原子である化合物を用いると、当該化合物自体の酸化によりスラッジが発生する恐れがある。また、アルキル基の炭素数が１６を超える場合には、分子中に占めるアルキル基の割合が小さくなり、炭化物抑制効果が低下する恐れがある。
【００５９】
一般式（７）で表されるｐ，ｐ’−ジアルキルジフェニルアミンは市販のものを用いても良く、また合成物を用いても良い。合成物は、フリーデル・クラフツ触媒を用い、ジフェニルアミンと炭素数１〜１６のハロゲン化アルキル化合物とジフェニルアミンとの反応、あるいはジフェニルアミンと炭素数２〜１６のオレフィン又は炭素数２〜１６のオレフィン又はこれらのオリゴマーとの反応を行うことにより容易に合成することができる。フリーデル・クラフツ触媒としては、フェニル−α−ナフチルアミンの説明において例示された金属ハロゲン化物や酸性触媒等が用いられる。
【００６０】
上記一般式（６）、（７）で表される化合物はいずれも芳香族アミンである。これらの芳香族アミンは１種を単独で用いても良いし、構造の異なる２種以上の混合物を用いても良いが、より優れた炭化物抑制効果を得るためには、一般式（６）で表されるフェニル−α−ナフチルアミンと一般式（７）で表されるｐ，ｐ’−ジアルキルジフェニルアミンとを併用することが好ましい。この場合の混合比は任意であるが、質量比で１／１０〜１０／１の範囲にあることが好ましい。
【００６１】
（Ｃ−１−３）ベンジルアミン系化合物としては、下記一般式（８）で表される化合物が好ましく用いられる。
【００６２】
【化１３】
2005036194.tif 000014
［一般式（８）中、Ｒ１３は、炭素数４０〜４００のアルキル基又はアルケニル基（好ましくは炭素数６０〜３５０のアルキル基又はアルケニル基）を示し、ｇは１〜５の整数（好ましくは２〜４の整数）を示す。］
一般式（８）で表されるベンジルアミンの製造方法は何ら限定されるものではないが、例えば、プロピレンオリゴマー、ポリブテン、エチレン−プロピレン共重合体等のポリオレフィンをフェノールと反応させてアルキルフェノールとした後、これにホルムアルデヒドとジエチレントリアミン、トリエチレンテトラミン、テトラエチレンペンタミン、ペンタエチレンヘキサミン等のポリアミンをマンニッヒ反応により反応させることにより得ることができる。
【００６３】
本発明にかかる（Ｃ−１−３）ベンジルアミン系化合物には、上記一般式（８）で表される化合物の他、当該化合物の誘導体も包含される。（Ｃ−１−３）成分の誘導体としては、具体的には例えば、一般式（８）で表される化合物に、炭素数２〜３０のモノカルボン酸（脂肪酸等）、シュウ酸、フタル酸、トリメリット酸、ピロメリット酸等の炭素数２〜３０のポリカルボン酸を作用させて、残存するアミノ基及び／又はイミノ基の一部又は全部を中和又はアミド化した酸変性化合物；一般式（８）で表される化合物にホウ酸を作用させて、残存するアミノ基及び／又はイミノ基の一部又は全部を中和したホウ素変性化合物；一般式（８）で表される化合物に硫黄化合物を作用させた硫黄変性化合物、並びに一般式（８）で表される化合物について酸変性、ホウ素変性、硫黄変性から選ばれる２種以上の変性を組み合わせた変性化合物等が挙げられる。
【００６４】
（Ｃ−１−３）成分中の窒素含有量は任意であるが、優れた炭化物抑制効果が得られることから、当該窒素含有量は、好ましくは０．０１〜１０質量％、より好ましくは０．１〜１０質量％である。
【００６５】
（Ｃ−１−４）ポリアミン系化合物としては、下記一般式（９）で表される化合物が好ましく用いられる。
【００６６】
Ｒ１４−ＮＨ−（ＣＨ２ＣＨ２ＮＨ）ｒ―Ｈ    （９）
［一般式（９）中、Ｒ１４は炭素数４０〜４００のアルキル基又はアルケニル基（好ましくは６０〜３５０のアルキル基又はアルケニル基）を示し、ｒは１〜５の整数（好ましくは２〜４の整数）を示す。］
一般式（９）で表されるポリアミンの製造方法は何ら限定されるものではないが、例えば、プロピレンオリゴマー、ポリブテン、エチレン−プロピレン共重合体等のポリオレフィンを塩素化した後、これにアンモニアやエチレンジアミン、ジエチレントリアミン、トリエチレンテトラミン、テトラエチレンペンタミン、ペンタエチレンヘキサミン等のポリアミンを反応させることにより得ることができる。
【００６７】
本発明にかかる（Ｃ−１−４）ポリアミン系化合物には、上記一般式（９）で表される化合物の他、当該化合物の誘導体も包含される。（Ｃ−１−４）成分の誘導体としては、具体的には例えば、一般式（９）で表される化合物に、炭素数２〜３０のモノカルボン酸（脂肪酸等）、シュウ酸、フタル酸、トリメリット酸、ピロメリット酸等の炭素数２〜３０のポリカルボン酸を作用させて、残存するアミノ基及び／又はイミノ基の一部又は全部を中和又はアミド化した酸変性化合物；一般式（９）で表される化合物にホウ酸を作用させて、残存するアミノ基及び／又はイミノ基の一部又は全部を中和したホウ素変性化合物；一般式（９）で表される化合物に硫黄化合物を作用させた硫黄変性化合物、並びに一般式（９）で表される化合物について酸変性、ホウ素変性、硫黄変性から選ばれる２種以上の変性を組み合わせた変性化合物等が挙げられる。
【００６８】
（Ｃ−１−４）成分中の窒素含有量は任意であるが、優れた炭化物抑制効果が得られることから、当該窒素含有量は、好ましくは０．０１〜１０質量％、より好ましくは０．１〜１０質量％である。
【００６９】
（Ｃ−２）フェノール系化合物としては、潤滑油の酸化防止剤として用いられる任意のアルキルフェノール系化合物が使用可能であり、特に限定されるのもではないが、例えば、下記の一般式（１０）、一般式（１１）及び一般式（１２）で表される化合物から選ばれる少なくとも１種のアルキルフェノール化合物が好ましいものとして挙げられる。
【００７０】
【化１４】
2005036194.tif 000015
［一般式（１０）中、Ｒ１５は炭素数１〜４のアルキル基を示し、Ｒ１６は水素原子又は炭素数１〜４のアルキル基を示し、Ｒ１７は水素原子、炭素数１〜４のアルキル基、下記一般式（ｉ）又は（ｉｉ）： 
【００７１】
【化１５】
2005036194.tif 000016
（一般式（ｉ）中、Ｒ１８は炭素数１〜６のアルキレン基を示し、Ｒ１９は炭素数１〜２４のアルキル基又はアルケニル基を示す。）
【００７２】
【化１６】
2005036194.tif 000017
（一般式（ｉｉ）中、Ｒ２０は炭素数１〜６のアルキレン基を示し、Ｒ２１は炭素数１〜４のアルキル基を示し、Ｒ２２は水素原子又は炭素数１〜４のアルキル基を示し、ｋは０又は１を示す。）
で表される基を示す。］
【００７３】
【化１７】
2005036194.tif 000018
［一般式（１１）中、Ｒ２３及びＲ２５は同一でも異なっていてもよく、それぞれ炭素数１〜４のアルキル基を示し、Ｒ２４及びＲ２６は同一でも異なっていてもよく、それぞれ水素原子又は炭素数１〜４のアルキル基を示し、Ｒ２７及びＲ２８は同一でも異なっていてもよく、それぞれ炭素数１〜６のアルキレン基を示し、Ａは炭素数１〜１８のアルキレン基又は下記の一般式（ｉｉｉ）：
−Ｒ２７−Ｓ−Ｒ２８−          （ｉｉｉ）
（一般式（ｉｉｉ）中、Ｒ２７及びＲ２８は同一でも異なっていてもよく、それぞれ炭素数１〜６のアルキレン基を示す）
で表される基を示す。］
【００７４】
【化１８】
2005036194.tif 000019
一般式（１２）中、Ｒ２９は炭素数１〜４のアルキル基を示し、Ｒ３０は水素原子又は炭素数１〜４のアルキル基を示し、Ｒ３１は炭素数１〜６のアルキレン基又は下記一般式（ｉｖ）：
【００７５】
【化１９】
2005036194.tif 000020
（一般式（ｉｖ）中、Ｒ３２及びＲ３３は同一でも異なっていてもよく、それぞれ炭素数１〜６のアルキレン基を示す。）
で表される基を示す。］
上記一般式（１０）で表される化合物において、Ｒ１７が一般式（ｉ）で表される基である化合物の場合、一般式（ｉ）中のＲ１８が炭素数１〜２のアルキレン基であり、Ｒ１９が炭素数６〜１２の直鎖状又は分枝状アルキル基であるものがより好ましく、一般式（ｉ）のＲ１８が炭素数１〜２のアルキレン基であり、Ｒ１９が炭素数６〜１２の分枝状アルキル基であるものが特に好ましい。
【００７６】
一般式（１０）で表される化合物の中で好ましいものを以下に示す。
【００７７】
Ｒ１７が炭素数１〜４のアルキル基である場合の化合物の例としては、２，６−ジ−ｔｅｒｔ−ブチル−ｐ−クレゾール、２，６−ジ−ｔｅｒｔ−ブチル−４−エチルフェノール等を挙げることができる。
【００７８】
Ｒ１７が一般式（ｉ）で表される基である場合の化合物の例としては、下記のものを挙げることができる。（３−メチル−５−ｔｅｒｔ−ブチル−４−ヒドロキシフェニル）酢酸ｎ−ヘキシル、（３−メチル−５−ｔｅｒｔ−ブチル−４−ヒドロキシフェニル）酢酸イソヘキシル、（３−メチル−５−ｔｅｒｔ−ブチル−４−ヒドロキシフェニル）酢酸ｎ−ヘプチル、（３−メチル−５−ｔｅｒｔ−ブチル−４−ヒドロキシフェニル）酢酸イソヘプチル、（３−メチル−５−ｔｅｒｔ−ブチル−４−ヒドロキシフェニル）酢酸ｎ−オクチル、（３−メチル−５−ｔｅｒｔ−ブチル−４−ヒドロキシフェニル）酢酸イソオクチル、（３−メチル−５−ｔｅｒｔ−ブチル−４−ヒドロキシフェニル）酢酸２−エチルヘキシル、（３−メチル−５−ｔｅｒｔ−ブチル−４−ヒドロキシフェニル）酢酸ｎ−ノニル、（３−メチル−５−ｔｅｒｔ−ブチル−４−ヒドロキシフェニル）酢酸イソノニル、（３−メチル−５−ｔｅｒｔ−ブチル−４−ヒドロキシフェニル）酢酸ｎ−デシル、（３−メチル−５−ｔｅｒｔ−ブチル−４−ヒドロキシフェニル）酢酸イソデシル、（３−メチル−５−ｔｅｒｔ−ブチル−４−ヒドロキシフェニル）酢酸ｎ−ウンデシル、（３−メチル−５−ｔｅｒｔ−ブチル−４−ヒドロキシフェニル）酢酸イソウンデシル、（３−メチル−５−ｔｅｒｔ−ブチル−４−ヒドロキシフェニル）酢酸ｎ−ドデシル、（３−メチル−５−ｔｅｒｔ−ブチル−４−ヒドロキシフェニル）酢酸イソドデシル、（３−メチル−５−ｔｅｒｔ−ブチル−４−ヒドロキシフェニル）プロピオン酸ｎ−ヘキシル、（３−メチル−５−ｔｅｒｔ−ブチル−４−ヒドロキシフェニル）プロピオン酸イソヘキシル、（３−メチル−５−ｔｅｒｔ−ブチル−４−ヒドロキシフェニル）プロピオン酸ｎ−ヘプチル、（３−メチル−５−ｔｅｒｔ−ブチル−４−ヒドロキシフェニル）プロピオン酸イソヘプチル、（３−メチル−５−ｔｅｒｔ−ブチル−４−ヒドロキシフェニル）プロピオン酸ｎ−オクチル、（３−メチル−５−ｔｅｒｔ−ブチル−４−ヒドロキシフェニル）プロピオン酸イソオクチル、（３−メチル−５−ｔｅｒｔ−ブチル−４−ヒドロキシフェニル）プロピオン酸２−エチルヘキシル、（３−メチル−５−ｔｅｒｔ−ブチル−４−ヒドロキシフェニル）プロピオン酸ｎ−ノニル、（３−メチル−５−ｔｅｒｔ−ブチル−４−ヒドロキシフェニル）プロピオン酸イソノニル、（３−メチル−５−ｔｅｒｔ−ブチル−４−ヒドロキシフェニル）プロピオン酸ｎ−デシル、（３−メチル−５−ｔｅｒｔ−ブチル−４−ヒドロキシフェニル）プロピオン酸イソデシル、（３−メチル−５−ｔｅｒｔ−ブチル−４−ヒドロキシフェニル）プロピオン酸ｎ−ウンデシル、（３−メチル−５−ｔｅｒｔ−ブチル−４−ヒドロキシフェニル）プロピオン酸イソウンデシル、（３−メチル−５−ｔｅｒｔ−ブチル−４−ヒドロキシフェニル）プロピオン酸ｎ−ドデシル、（３−メチル−５−ｔｅｒｔ−ブチル−４−ヒドロキシフェニル）プロピオン酸イソドデシル、（３，５−ジ−ｔｅｒｔ−ブチル−４−ヒドロキシフェニル）酢酸ｎ−ヘキシル、（３，５−ジ−ｔｅｒｔ−ブチル−４−ヒドロキシフェニル）酢酸イソヘキシル、（３，５−ジ−ｔｅｒｔ−ブチル−４−ヒドロキシフェニル）酢酸ｎ−ヘプチル、（３，５−ジ−ｔｅｒｔ−ブチル−４−ヒドロキシフェニル）酢酸イソヘプチル、（３，５−ジ−ｔｅｒｔ−ブチル−４−ヒドロキシフェニル）酢酸ｎ−オクチル、（３，５−ジ−ｔｅｒｔ−ブチル−４−ヒドロキシフェニル）酢酸イソオクチル、（３，５−ジ−ｔｅｒｔ−ブチル−４−ヒドロキシフェニル）酢酸２−エチルヘキシル、（３，５−ジ−ｔｅｒｔ−ブチル−４−ヒドロキシフェニル）酢酸ｎ−ノニル、（３，５−ジ−ｔｅｒｔ−ブチル−４−ヒドロキシフェニル）酢酸イソノニル、（３，５−ジ−ｔｅｒｔ−ブチル−４−ヒドロキシフェニル）酢酸ｎ−デシル、（３，５−ジ−ｔｅｒｔ−ブチル−４−ヒドロキシフェニル）酢酸イソデシル、（３，５−ジ−ｔｅｒｔ−ブチル−４−ヒドロキシフェニル）酢酸ｎ−ウンデシル、（３，５−ジ−ｔｅｒｔ−ブチル−４−ヒドロキシフェニル）酢酸イソウンデシル、（３，５−ジ−ｔｅｒｔ−ブチル−４−ヒドロキシフェニル）酢酸ｎ−ドデシル、（３，５−ジ−ｔｅｒｔ−ブチル−４−ヒドロキシフェニル）酢酸イソドデシル、（３，５−ジ−ｔｅｒｔ−ブチル−４−ヒドロキシフェニル）プロピオン酸ｎ−ヘキシル、（３，５−ジ−ｔｅｒｔ−ブチル−４−ヒドロキシフェニル）プロピオン酸イソヘキシル、（３，５−ジ−ｔｅｒｔ−ブチル−４−ヒドロキシフェニル）プロピオン酸ｎ−ヘプチル、（３，５−ジ−ｔｅｒｔ−ブチル−４−ヒドロキシフェニル）プロピオン酸イソヘプチル、（３，５−ジ−ｔｅｒｔ−ブチル−４−ヒドロキシフェニル）プロピオン酸ｎ−オクチル、（３，５−ジ−ｔｅｒｔ−ブチル−４−ヒドロキシフェニル）プロピオン酸イソオクチル、（３，５−ジ−ｔｅｒｔ−ブチル−４−ヒドロキシフェニル）プロピオン酸２−エチルヘキシル、（３，５−ジ−ｔｅｒｔ−ブチル−４−ヒドロキシフェニル）プロピオン酸ｎ−ノニル、（３，５−ジ−ｔｅｒｔ−ブチル−４−ヒドロキシフェニル）プロピオン酸イソノニル、（３，５−ジ−ｔｅｒｔ−ブチル−４−ヒドロキシフェニル）プロピオン酸ｎ−デシル、（３，５−ジ−ｔｅｒｔ−ブチル−４−ヒドロキシフェニル）プロピオン酸イソデシル、（３，５−ジ−ｔｅｒｔ−ブチル−４−ヒドロキシフェニル）プロピオン酸ｎ−ウンデシル、（３，５−ジ−ｔｅｒｔ−ブチル−４−ヒドロキシフェニル）プロピオン酸イソウンデシル、（３，５−ジ−ｔｅｒｔ−ブチル−４−ヒドロキシフェニル）プロピオン酸ｎ−ドデシル、（３，５−ジ−ｔｅｒｔ−ブチル−４−ヒドロキシフェニル）プロピオン酸イソドデシル等が挙げられる。
【００７９】
Ｒ１７が一般式（ｉｉ）で表される基である場合の化合物の例としては、ビス（３，５−ジ−ｔｅｒｔ−ブチル−４−ヒドロキシフェニル）、ビス（３，５−ジ−ｔｅｒｔ−ブチル−４−ヒドロキシフェニル）メタン、１，１−ビス（３，５−ジ−ｔｅｒｔ−ブチル−４−ヒドロキシフェニル）エタン、１，２−ビス（３，５−ジ−ｔｅｒｔ−ブチル−４−ヒドロキシフェニル）エタン、１，１−ビス（３，５−ジ−ｔｅｒｔ−ブチル−４−ヒドロキシフェニル）プロパン、１，２−ビス（３，５−ジ−ｔｅｒｔ−ブチル−４−ヒドロキシフェニル）プロパン、１，３−ビス（３，５−ジ−ｔｅｒｔ−ブチル−４−ヒドロキシフェニル）プロパン、２，２−ビス（３，５−ジ−ｔｅｒｔ−ブチル−４−ヒドロキシフェニル）プロパン等；及びこれらの２種以上の混合物等が挙げられる。
【００８０】
次に、一般式（１１）で表されるアルキルフェノールについて説明する。
【００８１】
一般式（１１）中のＡが炭素数１〜１８のアルキレン基である場合の特に好ましい化合物は、下記式（１１−１）で表される化合物である。
【００８２】
【化２０】
2005036194.tif 000021
また、一般式（１１）中のＡが式（ｉｉｉ）で表される基である場合の特に好ましい化合物は、下記式（１１−２）で表される化合物である。
【００８３】
【化２１】
2005036194.tif 000022
次に、一般式（１２）で表されるアルキルフェノールについて説明する。
【００８４】
一般式（１２）で表されるアルキルフェノールとして特に好ましいものは、具体的にには、下記式（１９−１）又は（１９−２）で表される化合物である。
【００８５】
【化２２】
2005036194.tif 000023
【００８６】
【化２３】
2005036194.tif 000024
（Ｃ−３）スルホネート系化合物としては、スルホン酸のアルカリ金属塩、アルカリ土類金属塩、アミン塩等が挙げられるが、中でもアルカリ土類金属塩であるアルカリ土類金属スルホネートが好ましく使用される。より具体的には例えば、分子量１００〜１５００、好ましくは２００〜７００のアルキル芳香族化合物をスルホン化することによって得られるアルキル芳香族スルホン酸のアルカリ土類金属塩、特にマグネシウム塩及び／又はカルシウム塩が挙げられる。アルキル芳香族スルホン酸としては、具体的には、いわゆる石油スルホン酸や合成スルホン酸等が挙げられる。
【００８７】
上記石油スルホン酸としては、一般に鉱油の潤滑油留分のアルキル芳香族化合物をスルホン化したものやホワイトオイル製造時に副生する、いわゆるマホガニー酸等が用いられる。また合成スルホン酸としては、例えば洗剤の原料となるアルキルベンゼン製造プラントから副生したり、ポリオレフィンをベンゼンにアルキル化することにより得られる、直鎖状や分枝状のアルキル基を有するアルキルベンゼンを原料とし、これをスルホン化したもの、あるいはジノニルナフタレン等のアルキルナフタレンをスルホン化したもの等が用いられる。またこれらのアルキル芳香族化合物をスルホン化する際のスルホン化剤としては、通常発煙硫酸や無水硫酸が用いられる。
【００８８】
また、本発明にかかる（Ｃ−３）スルホネート系化合物には、アルキル芳香族スルホン酸等を、直接マグネシウム及び／又はカルシウムのアルカリ土類金属の酸化物や水酸化物等のアルカリ土類金属塩基と反応させるか、あるいは一度ナトリウム塩やカリウム塩等のアルカリ金属塩としてからアルカリ土類金属塩と置換させること等により得られる中性塩（正塩）、さらにこれら中性塩（正塩）と過剰のアルカリ土類金属塩やアルカリ土類金属塩基（アルカリ土類金属の水酸化物や酸化物）を水の存在下で加熱することにより得られる塩基性塩や、炭酸ガスの存在下で中性塩（正塩）をアルカリ土類金属の塩基と反応させることにより得られる過塩基性塩（超塩基性塩）も含まれる。
【００８９】
なお、これらの反応は、通常溶媒（ヘキサン等の脂肪族炭化水素溶剤、キシレン等の芳香族炭化水素溶剤、軽質潤滑油基油等）中で行われる。また金属系清浄剤は、通常軽質潤滑油基油等で希釈された状態で市販されており、また入手可能であるが、一般的に、その金属含有量が１．０〜２０質量％、好ましくは２．０〜１６質量％のものを用いる。
【００９０】
（Ｃ−４）フェネート系化合物としては、フェノール系化合物のアルカリ金属塩、アルカリ土類金属塩、アミン塩等が挙げられるが、中でもアルカリ土類金属塩であるアルカリ土類金属フェネートが好ましく使用される。より具体的には、例えば、炭素数４〜３０、好ましくは６〜１８の直鎖状又は分枝状のアルキル基を少なくとも１個有するアルキルフェノール、このアルキルフェノールと元素硫黄を反応させて得られるアルキルフェノールサルファイド又はこのアルキルフェノールとホルムアルデヒドを反応させて得られるアルキルフェノールのマンニッヒ反応生成物のアルカリ土類金属塩、特にマグネシウム塩及び／又はカルシウム塩が挙げられる。
【００９１】
また、本発明にかかる（Ｃ−４）フェネート系化合物には、アルキルフェノール、アルキルフェノールサルファイド、アルキルフェノールのマンニッヒ反応物等を、直接マグネシウム及び／又はカルシウムのアルカリ土類金属の酸化物や水酸化物等のアルカリ土類金属塩基と反応させたり、又は一度ナトリウム塩やカリウム塩等のアルカリ金属塩としてからアルカリ土類金属塩と置換させること等により得られる中性塩（正塩）だけでなく、さらにこれら中性塩（正塩）と過剰のアルカリ土類金属塩やアルカリ土類金属塩基（アルカリ土類金属の水酸化物や酸化物）を水の存在下で加熱することにより得られる塩基性塩や、炭酸ガスの存在下で中性塩（正塩）をアルカリ土類金属の塩基と反応させることにより得られる過塩基性塩（超塩基性塩）も含まれる。
【００９２】
（Ｃ−５）サリシレート系化合物としては、サリチル酸のアルカリ金属塩、アルカリ土類金属塩、アミン塩等が挙げられるが、中でもアルカリ土類金属塩であるアルカリ土類金属サリシレートが好ましく使用される。より具体的には例えば、炭素数４〜３０、好ましくは６〜１８の直鎖状又は分枝状のアルキル基を少なくとも１個有するアルキルサリチル酸のアルカリ土類金属塩、特にマグネシウム塩及び／又はカルシウム塩が挙げられる。
【００９３】
また、本発明にかかる（Ｃ−５）サリシレート系化合物には、アルキルサリチル酸等を、直接マグネシウム及び／又はカルシウムのアルカリ土類金属の酸化物や水酸化物等のアルカリ土類金属塩基と反応させたり、又は一度ナトリウム塩やカリウム塩等のアルカリ金属塩としてからアルカリ土類金属塩と置換させること等により得られる中性塩（正塩）だけでなく、さらにこれら中性塩（正塩）と過剰のアルカリ土類金属塩やアルカリ土類金属塩基（アルカリ土類金属の水酸化物や酸化物）を水の存在下で加熱することにより得られる塩基性塩や、炭酸ガスの存在下で中性塩（正塩）をアルカリ土類金属の塩基と反応させることにより得られる過塩基性塩（超塩基性塩）も含まれる。
【００９４】
（Ｃ−６）コハク酸イミド系化合物としては、より具体的には例えば、下記一般式（１３）又は一般式（１４）で表される化合物が挙げられる。
【００９５】
【化２４】
2005036194.tif 000025
［一般式（１３）中、Ｒ３４は、炭素数４０〜４００（好ましくは６０〜３５０）のアルキル基又はアルケニル基を示し、ｎは１〜５（好ましくは２〜４）の整数を示す。］
【００９６】
【化２５】
2005036194.tif 000026
［一般式（１４）中、Ｒ３５及びＲ３６は同一でも異なっていてもよく、それぞれ炭素数４０〜４００（好ましくは６０〜３５０）のアルキル基又はアルケニル基を示し、ｍは０〜４（好ましくは１〜３）の整数を示す。］
これらのコハク酸イミドの製造方法は何ら限定されるものではないが、例えばプロピレンオリゴマー、ポリブテン、エチレン−プロピレン共重合体等のポリオレフィンを無水マレイン酸と反応させて無水アルケニルコハク酸を得た後、ジエチレントリアミン、トリエチレンテトラミン、テトラエチレンペンタミン、ペンタエチレンヘキサン等のポリアミンを用いてイミド化したもの等が挙げられる。
【００９７】
本発明にかかる（Ｃ−６）コハク酸イミドには、イミド化に際してポリアミンの一端に無水コハク酸が付加した、一般式（１３）のようないわゆるモノタイプのコハク酸イミドと、ポリアミンの両端に無水コハク酸が付加した、一般式（１４）のようないわゆるビスタイプのコハク酸イミドが含まれるが、（Ｃ−６）成分としては、それらの一方のみを使用してもよく、また双方を組み合わせて使用してもよい。
【００９８】
次に、（Ｃ−７）成分について説明する。
【００９９】
（Ｃ−７）成分は、一般式（１）〜（３）で表される化合物の少なくとも１種（以下、場合によりモノマー成分（Ｃ−７−１）という）と、一般式（４）、（５）で表される化合物の少なくとも１種（以下、場合によりモノマー成分（Ｃ−７−２）という）と、の共重合体、又はその水素化物である。
【０１００】
【化２６】
2005036194.tif 000027
［一般式（１）中、Ｒ１は水素原子又はメチル基を示し、Ｒ２はアルキル基（好ましくは炭素数１〜１８のアルキル基）を示す。］
【０１０１】
【化２７】
2005036194.tif 000028
［一般式（２）中、Ｒ３は水素原子又はメチル基を示し、Ｒ４は炭化水素基（好ましくは炭素数１〜１２の炭化水素基）を示す。］
【０１０２】
【化２８】
2005036194.tif 000029
［一般式（３）中、Ｒ５及びＲ６は同一でも異なっていてもよく、それぞれ水素原子、アルコキシ基（−ＯＲ３７：Ｒ３７はアルキル基（好ましくは炭素数１〜１８のアルキル基）を示す）、又はモノアルキルアミノ基（−ＮＨＲ３８：Ｒ３８はアルキル基（好ましくは炭素数１〜１８のアルキル基）を示す）を示す。］
【０１０３】
【化２９】
2005036194.tif 000030
［一般式（４）中、Ｒ７は水素原子又はメチル基を示し、Ｒ８はアルキレン基（好ましくは炭素数２〜１８のアルキレン基）を示し、ｐは０又は１を示し、Ｙ１は窒素原子数が１個又は２個且つ酸素原子数が０〜２個のアミン残基又は複素環残基を示す。］
【０１０４】
【化３０】
2005036194.tif 000031
［一般式（５）中、Ｒ９は水素原子又はメチル基を示し、Ｙ２は窒素原子数が１個又は２個且つ酸素原子数が０〜２個のアミン残基又は複素環残基を示す。］
先ず、モノマー成分（Ｃ−７−１）について説明する。
【０１０５】
一般式（１）中、Ｒ２で示されるアルキル基としては炭素数１〜１８のアルキル基が好ましく、具体的には例えば、メチル基、エチル基、ｎ−プロピル基、イソプロピル基、ｎ−ブチル基、イソブチル基、ｓｅｃ−ブチル基、ｔｅｒｔ−ブチル基、直鎖又は分枝のペンチル基、直鎖又は分枝のヘキシル基、直鎖又は分枝のヘプチル基、直鎖又は分枝のオクチル基、直鎖又は分枝のノニル基、直鎖又は分枝のデシル基、直鎖又は分枝のウンデシル基、直鎖また分枝のウンデシル基、直鎖又は分枝のドデシル基、直鎖又は分枝のトリデシル基、直鎖又は分枝のテトラデシル基、直鎖又は分枝のペンタデシル基、直鎖又は分枝のヘキサデシル基、直鎖又は分枝のヘプタデシル基、直鎖又は分枝のオクタデシル基等が挙げられる。一般式（３）にかかるアルコキシ基（−ＯＲ３７）のＲ３７で示されるアルキル基、又はモノアルキルアミノ基（−ＮＨＲ３８）のＲ３８で示されるアルキル基についても同様である。
【０１０６】
一般式（２）のＲ４で表される炭化水素基としては、炭素数１〜１２の炭化水素基が好ましく、具体的には例えば、炭素数１〜１２のアルキル基、炭素数５〜７のシクロアルキル基、炭素数６〜１１のアルキルシクロアルキル基、炭素数２〜１２のアルケニル基、炭素数６〜１２のアリール基、炭素数７〜１２のアルキルアリール基、及び炭素数７〜１２のアリールアルキル基が挙げられる。
【０１０７】
炭素数１〜１２のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖又は分枝のペンチル基、直鎖又は分枝のヘキシル基、直鎖又は分枝のヘプチル基、直鎖又は分枝のオクチル基、直鎖又は分枝のノニル基、直鎖又は分枝のデシル基、直鎖又は分枝のウンデシル基、直鎖又は分枝のドデシル基等が挙げられる。
【０１０８】
炭素数５〜１２のシクロアルキル基としては、例えば、シクロペンチル基、シクロヘキシル基、シクロヘプチル基等が挙げられる。
【０１０９】
炭素数６〜１１のアルキルシクロアルキル基としては、例えば、メチルシクロペンチル基、ジメチルシクロペンチル基（全ての構造異性体を含む）、メチルエチルシクロペンチル基（全ての構造異性体を含む）、ジエチルシクロペンチル基（全ての構造異性体を含む）、メチルシクロヘキシル基、ジメチルシクロヘキシル基（全ての構造異性体を含む）、メチルエチルシクロヘキシル基（全ての構造異性体を含む）、ジエチルシクロヘキシル基（全ての構造異性体を含む）、メチルシクロヘプチル基、ジメチルシクロヘプチル基（全ての構造異性体を含む）、メチルエチルシクロヘプチル基（全ての構造異性体を含む）、ジエチルシクロヘプチル基（全ての構造異性体を含む）等が挙げられる。
【０１１０】
炭素数２〜１２のアルケニル基としては、例えば、直鎖又は分枝のブテニル基、直鎖又は分枝のペンテニル基、直鎖又は分枝のヘキセニル基、直鎖又は分枝のヘプテニル基、直鎖又は分枝のオクテニル基、直鎖又は分枝のノネニル基、直鎖又は分枝のデセニル基、直鎖又は分枝のウンデセニル基、直鎖又は分枝のドデセニル基等が挙げられる。
【０１１１】
炭素数６〜１２のアリール基としては、例えば、フェニル基、ナフチル基等が挙げられる。
【０１１２】
炭素数７〜１２のアルキルアリール基としては、例えば、トリル基（全ての構造異性体を含む）、キシリル基（全ての構造異性体を含む）、エチルフェニル基（全ての構造異性体を含む）、直鎖又は分枝のプロピルフェニル基（全ての構造異性体を含む）、直鎖又は分枝のブチルフェニル基（全ての構造異性体を含む）、直鎖又は分枝のペンチルフェニル基（全ての構造異性体を含む）、直鎖又は分枝のヘキシルフェニル基（全ての構造異性体を含む）等が挙げられる。
【０１１３】
炭素数７〜１２のアリールアルキル基としては、例えば、ベンシル基、フェニルエチル基、フュニルプロピル基（プロピル基の異性体を含む）、フェニルブチル基（ブチル基の異性体を含む）、フェニルペンチル基（ペンチル基の異性体を含む）、フェニルヘキシル基（ヘキシル基の異性体を含む）等が挙げられる。
【０１１４】
モノマー成分（Ｃ−７−１）の好ましいものとしては、具体的には例えば、炭素数１〜１８のアルキルアクリレート、炭素数１〜１８アルキルメタクリレート、炭素数２〜２０のオレフィン、スチレン、メチルスチレン、無水マレイン酸エステル、無水マレイン酸アミド、及びこれらの２種以上の混合物等が挙げられる。
【０１１５】
次に、モノマー成分（Ｃ−７−２）について説明する。
【０１１６】
一般式（４）中、Ｒ８で示されるアルキレン基としては、炭素数２〜１８のアルキレン基が好ましく、具体的には例えば、直鎖又は分枝のエチレン基、直鎖又は分枝のプロピレン基、直鎖又は分枝のブチレン基、直鎖又は分枝のペンチレン基、直鎖又は分枝のヘキシレン基、直鎖又は分枝のヘプチレン基、直鎖又は分枝のオクチレン基、直鎖又は分枝のノニレン基、直鎖又は分枝のデシレン基、直鎖又は分枝のウンデシレン基、直鎖又は分枝のドデシレン基、直鎖又は分枝のトリデシレン基、直鎖又は分枝のテトラデシレン基、直鎖又は分枝のペンタデシレン基、直鎖又は分枝のヘキサデシレン基、直鎖又は分枝のヘプタデシレン基、直鎖又は分枝のオクタデシレン基等が挙げられる。
【０１１７】
また、一般式（４）中のＹ１及び一般式（５）中のＹ２で示されるアミン残基又は複素環残基の例としては、ジメチルアミノ基、ジエチルアミノ基、ジプロポルアミノ基、ジブチルアミノ基、アニリノ基、トルイジノ基、キシリジノ基、アセチルアミノ基、ベンゾイルアミノ基、モルホリノ基、ピロリル基、ピロリノ基、ピリジル基、メチルピリジル基、ピロリジニル基、ピペリジニル基、キノリル基、ピロリドニル基、ピロリドノ基、イミダゾリノ基、及びピラジノ基を挙げることができる。
【０１１８】
モノマー成分（Ｃ−７−２）の好ましいものとしては、具体的には例えば、ジメチルアミノメチルメタクリレート、ジエチルアミノメチルメタクリレート、ジメチルアミノエチルメタクリレート、ジエチルアミノエチルメタクリレート、２−メチル−５−ビニルピリジン、モルホリノメチルメタクリレート、モルホリノエチルメタクリレート、Ｎ−ビニルピロリドン、及びこれらの２種以上の混合物等が挙げられる。
【０１１９】
モノマー成分（Ｃ−７−１）とモノマー成分（Ｃ−７−２）とを共重合するに際し、（Ｃ−３−１）成分と（Ｃ−３−２）成分との共重合比（モル比）は任意であるが、一般に、８０：２０〜９５：５程度である。また共重合の反応方法も任意であるが、通常ベンゾイルパーオキシド等の重合開始剤の存在下でモノマー成分（Ｃ−７−１）とモノマー成分（Ｃ−７−２）とをラジカル溶液重合させることにより、目的の共重合体を容易に得ることができる。
【０１２０】
また、（Ｃ−７）成分としては、上述のようにして得られたポリブテン中に残存する不飽和結合を水素化して得られる水素化物であってもよい。
【０１２１】
また、（Ｃ−７）成分である共重合体の重量平均分子量も任意であるが、通常、１，０００〜３００，０００、好ましくは５，０００〜１００，０００のものを用いる。
【０１２２】
本発明にかかる（Ｃ−７）成分としては、特に優れた炭化物抑制効果が得られることから、重量平均分子量５，０００〜１００，０００の分散型ポリメタクリレート、重量平均分子量５，０００〜１００，０００の分散型スチレン−無水マレイン酸エステル共重合体、重量平均分子量５，０００〜１００，０００の分散型オレフィン共重合、重量平均分子量５，０００〜１００，０００の分散型オレフィン−メタクリレート共重合体及びこれらの混合物等が好ましく用いられる。
【０１２３】
上記（Ｃ−１）〜（Ｃ−７）の炭化物抑制剤は、１種を単独で用いてもよく、また、２種以上を組み合わせてもよいが、本発明の圧縮機用潤滑油組成物における（Ｃ−１）〜（Ｃ−７）の含有量の合計は、組成物全量基準で、０．００１〜１０質量％であることが必要であり、好ましくは０．０１〜５質量％、より好ましくは０．１〜２質量％である。当該含有量の合計が０．００１質量％未満の場合には炭化物の抑制効果が不十分となる。他方、含有量が１０質量％を超えても、含有量に見合う炭化物抑制効果が得られない。
【０１２４】
本発明の圧縮機用潤滑油組成物は上記（Ａ）〜（Ｃ）成分を必須成分として含有するが、本発明による優れた効果を損なわない程度に、（Ｄ）極圧剤及び／又は（Ｅ）油性剤をさらに含有してもよい。
【０１２５】
（Ｄ）極圧剤としては、例えば硫黄系極圧剤及びリン系極圧剤が使用可能であり、より具体的には、下記（Ｄ−１）〜（Ｄ−１３）に示す化合物が挙げられる。
【０１２６】
（Ｄ−１）ジハイドロカルビルポリサルファイド
（Ｄ−２）硫化エステル
（Ｄ−３）硫化鉱油
（Ｄ−４）ジチオリン酸亜鉛化合物
（Ｄ−５）ジチオカルバミン酸亜鉛化合物
（Ｄ−６）ジチオリン酸モリブデン化合物
（Ｄ−７）ジチオカルバミン酸モリブデン化合物
（Ｄ−８）リン酸エステル
（Ｄ−９）酸性リン酸エステル
（Ｄ−１０）酸性リン酸エステルのアミン塩
（Ｄ−１１）塩素化リン酸エステル
（Ｄ−１２）亜リン酸エステル
（Ｄ−１３）フォスフォロチオネート
以下に（Ｄ）成分を順に説明する。
【０１２７】
（Ｄ−１）ジハイドロカルビルポリサルファイドは、一般にポリサルファイド又は硫化オレフィンと呼ばれる硫黄系化合物であり、具体的には下記一般式（１５）で表される。
【０１２８】
Ｒ３９−Ｓｘ−Ｒ４０    （１５）
［一般式（１５）中、Ｒ３９及びＲ４０は同一でも異なっていてもよく、それぞれ炭素数３〜２０の直鎖状又は分枝状のアルキル基、炭素数６〜２０のアリール基、炭素数６〜２０のアルキルアリール基あるいは炭素数６〜２０のアリールアルキル基を示し、ｘは２〜６、好ましくは２〜５の整数を示す。］
一般式（１５）中、Ｒ３９及びＲ４０で示されるアルキル基としては、具体的には、ｎ−プロピル基、イソプロピル基、ｎ−ブチル基、イソブチル基、ｓｅｃ−ブチル基、ｔｅｒｔ−ブチル基、直鎖又は分枝ペンチル基、直鎖又は分枝ヘキシル基、直鎖又は分枝ヘプチル基、直鎖又は分枝オクチル基、直鎖又は分枝ノニル基、直鎖又は分枝デシル基、直鎖又は分枝ウンデシル基、直鎖又は分枝ドデシル基、直鎖又は分枝トリデシル基、直鎖又は分枝テトラデシル基、直鎖又は分枝ペンタデシル基、直鎖又は分枝ヘキサデシル基、直鎖又は分枝ヘプタデシル基、直鎖又は分枝オクタデシル基、直鎖又は分枝ノナデシル基、直鎖又は分枝イコシル基が挙げられる。
【０１２９】
Ｒ３９及びＲ４０で示されるアリール基としては、具体的には、フェニル基、ナフチル基などが挙げられる。
【０１３０】
Ｒ３９及びＲ４０で示されるアルキルアリール基としては、具体的には、トリル基（全ての構造異性体を含む）、エチルフェニル基（全ての構造異性体を含む）、直鎖又は分枝プロピルフェニル基（全ての構造異性体を含む）、直鎖又は分枝ブチルフェニル基（全ての構造異性体を含む）、直鎖又は分枝ペンチルフェニル基（全ての構造異性体を含む）、直鎖又は分枝ヘキシルフェニル基（全ての構造異性体を含む）、直鎖又は分枝ヘプチルフェニル基（全ての構造異性体を含む）、直鎖又は分枝オクチルフェニル基（全ての構造異性体を含む）、直鎖又は分枝ノニルフェニル基（全ての構造異性体を含む）、直鎖又は分枝デシルフェニル基（全ての構造異性体を含む）、直鎖又は分枝ウンデシルフェニル基（全ての構造異性体を含む）、直鎖又は分枝ドデシルフェニル基（全ての構造異性体を含む）、キシリル基（全ての構造異性体を含む）、エチルメチルフェニル基（全ての構造異性体を含む）、ジエチルフェニル基（全ての構造異性体を含む）、ジ（直鎖又は分枝）プロピルフェニル基（全ての構造異性体を含む）、ジ（直鎖又は分枝）ブチルフェニル基（全ての構造異性体を含む）、メチルナフチル基（全ての構造異性体を含む）、エチルナフチル基（全ての構造異性体を含む）、直鎖又は分枝プロピルナフチル基（全ての構造異性体を含む）、直鎖又は分枝ブチルナフチル基（全ての構造異性体を含む）、ジメチルナフチル基（全ての構造異性体を含む）、エチルメチルナフチル基（全ての構造異性体を含む）、ジエチルナフチル基（全ての構造異性体を含む）、ジ（直鎖又は分枝）プロピルナフチル基（全ての構造異性体を含む）、ジ（直鎖又は分枝）ブチルナフチル基（全ての構造異性体を含む）等が挙げられる。
【０１３１】
Ｒ３９及びＲ４０で示されるアリールアルキル基としては、具体的には、ベンジル基、フェニルエチル基（全ての異性体を含む）、フェニルプロピル基（全ての異性体を含む）等が挙げられる。
【０１３２】
上記Ｒ３９及びＲ４０は、それぞれプロピレン、１−ブテン又はイソブチレンから誘導された炭素数３〜１８のアルキル基、炭素数６〜８のアリール基、炭素数７〜８のアルキルアリール基、あるいは炭素数７〜８のアリールアルキル基のいずれかであることが好ましい。
【０１３３】
より具体的には、好ましいアルキル基としては、例えば、イソプロピル基、プロピレン２量体から誘導される分枝状ヘキシル基（全ての分枝状異性体を含む）、プロピレン３量体から誘導される分枝状ノニル基（全ての分枝状異性体を含む）、プロピレン４量体から誘導される分枝状ドデシル基（全ての分枝状異性体を含む）、プロピレン５量体から誘導される分枝状ペンタデシル基（全ての分枝状異性体を含む）、プロピレン６量体から誘導される分枝状オクタデシル基（全ての分枝状異性体を含む）、ｓｅｃ−ブチル基、ｔｅｒｔ−ブチル基、１−ブテン２量体から誘導される分枝状オクチル基（全ての分枝状異性体を含む）、イソブチレン２量体から誘導される分枝状オクチル基（全ての分枝状異性体を含む）、１−ブテン３量体から誘導される分枝状ドデシル基（全ての分枝状異性体を含む）、イソブチレン３量体から誘導される分枝状ドデシル基（全ての分枝状異性体を含む）、１−ブテン４量体から誘導される分枝状ヘキサデシル基（全ての分枝状異性体を含む）、イソブチレン４量体から誘導される分枝状ヘキサデシル基（全ての分枝状異性体を含む）などを挙げることができる。好ましいアリール基としては、例えば、フェニル基を挙げることができる。好ましいアルキルアリール基としては、例えば、トリル基（全ての構造異性体を含む）、エチルフェニル基（全ての構造異性体を含む）、キシリル基（全ての構造異性体を含む）などを挙げることができる。好ましいアリールアルキル基としては、例えば、ベンジル基、フェネチル基（全ての異性体を含む）などを挙げることができる。
【０１３４】
さらに、上記Ｒ３９及びＲ４０は、その潤滑性能の点から、それぞれ別個に、プロピレンから誘導された炭素数３〜１８の分枝状アルキル基であることがより好ましく、プロピレンから誘導された炭素数６〜１５の分枝状アルキル基であることが特に好ましい。
【０１３５】
（Ｄ−１）ジハイドロカルビルポリサルファイドとしては、任意の硫黄含有量のものを使用することができるが、極圧性能に優れる点から、通常硫黄含有量が１０〜５５質量％、好ましくは２０〜５０質量％のものを用いることが好ましい。
【０１３６】
（Ｄ−２）硫化エステルとしては、具体的には例えば、牛脂、豚脂、魚脂、菜種油、大豆油などの動植物油脂；不飽和脂肪酸（オレイン酸、リノール酸又は上記の動植物油脂から抽出された脂肪酸類などを含む）と各種アルコールとを反応させて得られる不飽和脂肪酸エステル；及びこれらの混合物などを任意の方法で硫化することにより得られるものが挙げられる。（Ｄ−２）硫化エステルとしては、任意の硫黄含有量のものを使用することができるが、極圧性能に優れる点から、通常硫黄含有量が２〜４０質量％、好ましくは５〜３５質量％のものを用いることが好ましい。
【０１３７】
（Ｄ−３）硫化鉱油とは、鉱油に単体硫黄を溶解させたものをいう。本発明に用いられる鉱油は特に制限されないが、具体的には、上記の潤滑油基油の例として挙げた鉱油系潤滑油基油が挙げられる。また、単体硫黄としては、塊状、粉末状、溶融液体状等いずれの形態のものを用いてもよいが、粉末状又は溶融液体状のものは、基油への溶解を効率よく行うことができるので好ましい。なお、溶融液体状の単体硫黄を用いるときは、液体同士を混合することになるので溶解作業を非常に短時間で行うことができるという利点を有しているが、単体硫黄の融点以上で取り扱わねばならず、加熱設備などの特別な装置を必要としたり、高温雰囲気下での取り扱いとなるため危険を伴うなど取り扱いが必ずしも容易ではない。これに対して、粉末状の単体硫黄は、安価で取り扱いが容易であり、しかも溶解時間が十分に短いので特に好ましい。また、硫化鉱油中の硫黄含有量に特に制限はないが、通常硫化鉱油全量基準で好ましくは０．０５〜１．０質量％であり、より好ましくは０．１〜０．５質量％である。
【０１３８】
（Ｄ−４）ジチオリン酸亜鉛化合物、（Ｄ−５）ジチオカルバミン酸亜鉛化合物、（Ｄ−６）ジチオリン酸モリブデン化合物、及び（Ｄ−７）ジチオカルバミン酸モリブデン化合物は、それぞれ下記一般式（１６）、（１７）、（１８）、（１９）で表される。
【０１３９】
【化３１】
2005036194.tif 000032
【０１４０】
【化３２】
2005036194.tif 000033
【０１４１】
【化３３】
2005036194.tif 000034
【０１４２】
【化３４】
2005036194.tif 000035
［一般式（１６）〜（１９）中、Ｒ４１、Ｒ４２、Ｒ４３、Ｒ４４、Ｒ４５、Ｒ４６、Ｒ４７、Ｒ４８、Ｒ４９、Ｒ５０、Ｒ５１、Ｒ５２、Ｒ５３、Ｒ５４、Ｒ５５及びＲ５６は同一でも異なっていてもよく、それぞれ炭素数１以上の炭化水素基を示し、Ｘ１及びＸ２は、それぞれ酸素原子又は硫黄原子を示す。］
上記Ｒ４１〜Ｒ５６で示される炭化水素基としては、例えば、炭素数１〜２４のアルキル基、炭素数５〜７のシクロアルキル基、炭素数６〜１１のアルキルシクロアルキル基、炭素数２〜２４のアルケニル基、炭素数６〜１８のアリール基、炭素数７〜２４のアルキルアリール基及び炭素数７〜１２のアリールアルキル基等が挙げられる。
【０１４３】
炭素数１〜２４のアルキル基としては、具体的には、メチル基、エチル基、プロピル基（すべての分枝異性体を含む）、ブチル基（すべての分枝異性体を含む）、ペンチル基（すべての分枝異性体を含む）、ヘキシル基（すべての分枝異性体を含む）、ヘプチル基（すべての分枝異性体を含む）、オクチル基（すべての分枝異性体を含む）、ノニル基（すべての分枝異性体を含む）、デシル基（すべての分枝異性体を含む）、ウンデシル基（すべての分枝異性体を含む）、ドデシル基（すべての分枝異性体を含む）、トリデシル基（すべての分枝異性体を含む）、テトラデシル基（すべての分枝異性体を含む）、ペンタデシル基（すべての分枝異性体を含む）、ヘキサデシル基（すべての分枝異性体を含む）、ヘプタデシル基（すべての分枝異性体を含む）、オクタデシル基（すべての分枝異性体を含む）、ノナデシル基（すべての分枝異性体を含む）、イコシル基（すべての分枝異性体を含む）、ヘンイコシル基（すべての分枝異性体を含む）、ドコシル基（すべての分枝異性体を含む）、トリコシル基（すべての分枝異性体を含む）、テトラコシル基（すべての分枝異性体を含む）等が挙げられる。
【０１４４】
炭素数５〜７のシクロアルキル基としては、具体的には、シクロペンチル基、シクロヘキシル基、シクロヘプチル基などを挙げることができる。
【０１４５】
炭素数６〜１１のアルキルシクロアルキル基としては、具体的には、メチルシクロペンチル基（すべての置換異性体を含む）、エチルシクロペンチル基（すべての置換異性体を含む）、ジメチルシクロペンチル基（すべての置換異性体を含む）、プロピルシクロペンチル基（すべての分枝異性体、置換異性体を含む）、メチルエチルシクロペンチル基（すべての置換異性体を含む）、トリメチルシクロペンチル基（すべての置換異性体を含む）、ブチルシクロペンチル基（すべての分枝異性体、置換異性体を含む）、メチルプロピルシクロペンチル基（すべての分枝異性体、置換異性体を含む）、ジエチルシクロペンチル基（すべての置換異性体を含む）、ジメチルエチルシクロペンチル基（すべての置換異性体を含む）、メチルシクロヘキシル基（すべての置換異性体を含む）、エチルシクロヘキシル基（すべての置換異性体を含む）、ジメチルシクロヘキシル基（すべての置換異性体を含む）、プロピルシクロヘキシル基（すべての分枝異性体、置換異性体を含む）、メチルエチルシクロヘキシル基（すべての置換異性体を含む）、トリメチルシクロヘキシル基（すべての置換異性体を含む）、ブチルシクロヘキシル基（すべての分枝異性体、置換異性体を含む）、メチルプロピルシクロヘキシル基（すべての分枝異性体、置換異性体を含む）、ジエチルシクロヘキシル基（すべての置換異性体を含む）、ジメチルエチルシクロヘキシル基（すべての置換異性体を含む）、メチルシクロヘプチル基（すべての置換異性体を含む）、エチルシクロヘプチル基（すべての置換異性体を含む）、ジメチルシクロヘプチル基（すべての置換異性体を含む）、プロピルシクロヘプチル基（すべての分枝異性体、置換異性体を含む）、メチルエチルシクロヘプチル基（すべての置換異性体を含む）、トリメチルシクロヘプチル基（すべての置換異性体を含む）、ブチルシクロヘプチル基（すべての分枝異性体、置換異性体を含む）、メチルプロピルシクロヘプチル基（すべての分枝異性体、置換異性体を含む）、ジエチルシクロヘプチル基（すべての置換異性体を含む）、ジメチルエチルシクロヘプチル基（すべての置換異性体を含む）等が挙げられる。
【０１４６】
炭素数２〜２４のアルケニル基としては、例えば、ビニル基、プロペニル基、イソプロペニル基、ブテニル基（すべての分枝異性体を含む）、ペンテニル基（すべての分枝異性体を含む）、ヘキセニル基（すべての分枝異性体を含む）、ヘプテニル基（すべての分枝異性体を含む）、オクテニル基（すべての分枝異性体を含む）、ノネニル基（すべての分枝異性体を含む）、デセニル基（すべての分枝異性体を含む）、直鎖または分枝ウンデセニル基（すべての分枝異性体を含む）、ドデセニル基（すべての分枝異性体を含む）、トリデセニル基（すべての分枝異性体を含む）、テトラデセニル基（すべての分枝異性体を含む）、ペンタデセニル基（すべての分枝異性体を含む）、ヘキサデセニル基（すべての分枝異性体を含む）、ヘプタデセニル基（すべての分枝異性体を含む）、オレイル基などのオクタデセニル基（すべての分枝異性体を含む）、ノナデセニル基（すべての分枝異性体を含む）、イコセニル基（すべての分枝異性体を含む）、ヘンイコセニル基（すべての分枝異性体を含む）、ドコセニル基（すべての分枝異性体を含む）、トリコセニル基及びテトラコセニル基（すべての分枝異性体を含む）等が挙げられる。
【０１４７】
炭素数６〜１８のアリール基としては、例えば、フェニル基、ナフチル基等が挙げられる。
【０１４８】
炭素数７〜２４のアルキルアリール基としては、例えば、トリル基（すべての置換異性体を含む）、キシリル基（すべての置換異性体を含む）、エチルフェニル基（すべての置換異性体を含む）、プロピルフェニル基（すべての分枝異性体、置換異性体を含む）、メチルエチルフェニル基（すべての置換異性体を含む）、トリメチルフェニル基（すべての置換異性体を含む）、ブチルフェニル基（すべての分枝異性体、置換異性体を含む）、メチルプロピルフェニル基（すべての分枝異性体、置換異性体を含む）、ジエチルフェニル基（すべての置換異性体を含む）、ジメチルエチルフェニル基（すべての置換異性体を含む）、ペンチルフェニル基（すべての分枝異性体、置換異性体を含む）、ヘキシルフェニル基（すべての分枝異性体、置換異性体を含む）、ヘプチルフェニル基（すべての分枝異性体、置換異性体を含む）、オクチルフェニル基（すべての分枝異性体、置換異性体を含む）、ノニルフェニル基（すべての分枝異性体、置換異性体を含む）、デシルフェニル基（すべての分枝異性体、置換異性体を含む）、ウンデシルフェニル基（すべての分枝異性体、置換異性体を含む）、ドデシルフェニル基（すべての分枝異性体、置換異性体を含む）、トリデシルフェニル基（すべての分枝異性体、置換異性体を含む）、テトラデシルフェニル基（すべての分枝異性体、置換異性体を含む）、ペンタデシルフェニル基（すべての分枝異性体、置換異性体を含む）、ヘキサデシルフェニル基（すべての分枝異性体、置換異性体を含む）、ヘプタデシルフェニル基（すべての分枝異性体、置換異性体を含む）、オクタデシルフェニル基（すべての分枝異性体、置換異性体を含む）等が挙げられる。
【０１４９】
炭素数７〜１２のアリールアルキル基としては、例えば、ベンジル基、フェネチル基、フェニルプロピル基（すべての分枝異性体を含む）、フェニルブチル基（すべての分枝異性体を含む）等が挙げられる。
【０１５０】
上記一般式（１６）〜（１９）で表される化合物の中では、一般式（１６）で表される（Ｄ−４）ジチオリン酸亜鉛化合物が好ましく、Ｒ４１、Ｒ４２、Ｒ４３及びＲ４４はそれぞれ炭素数１〜１８のアルキル基、炭素数６〜１８のアリール基又は炭素数７〜１８のアルキルアリール基であることが好ましく、炭素数３〜８のアルキル基がより好ましい。なお、Ｒ４１〜Ｒ４４を導入する際にα−オレフィンの混合物を原料とする場合があるが、この場合、一般式（１６）で表される化合物は互いに異なる構造のアルキル基を有するジアルキルジチオリン酸亜鉛の混合物となる。
【０１５１】
（Ｄ−４）ジチオリン酸亜鉛化合物の好ましい例としては、より具体的には、ジ（２−エチルヘキシル）ジチオリン酸亜鉛、ジ（１，３−ジメチルブチル）ジチオリン酸亜鉛、ジイソプロピルジチオリン酸亜鉛及びこれらの２種以上の混合物等が挙げられる。
【０１５２】
（Ｄ−８）リン酸エステルとしては、具体的には例えば、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、及びキシレニルジフェニルホスフェート等が挙げられる。
【０１５３】
（Ｄ−９）酸性リン酸エステルとしては、具体的には、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、及びジオレイルアシッドホスフェート等が挙げられる。
【０１５４】
（Ｄ−１０）酸性リン酸エステルのアミン塩としては、前記酸性リン酸エステルのメチルアミン、エチルアミン、プロピルアミン、ブチルアミン、ペンチルアミン、ヘキシルアミン、ヘプチルアミン、オクチルアミン、ジメチルアミン、ジエチルアミン、ジプロピルアミン、ジブチルアミン、ジペンチルアミン、ジヘキシルアミン、ジヘプチルアミン、ジオクチルアミン、トリメチルアミン、トリエチルアミン、トリプロピルアミン、トリブチルアミン、トリペンチルアミン、トリヘキシルアミン、トリヘプチルアミン、及びトリオクチルアミン等のアミンとの塩が挙げられる。
【０１５５】
（Ｄ−１１）塩素化リン酸エステルとしては、トリス・ジクロロプロピルホスフェート、トリス・クロロエチルホスフェート、トリス・クロロフェニルホスフェート、及びポリオキシアルキレン・ビス［ジ（クロロアルキル）］ホスフェート等が挙げられる。
【０１５６】
（Ｄ−１２）亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、及びトリクレジルホスファイト等が挙げられる。
【０１５７】
（Ｄ−１３）フォスフォロチオネートとしては、具体的には、トリブチルフォスフォロチオネート、トリペンチルフォスフォロチオネート、トリヘキシルフォスフォロチオネート、トリヘプチルフォスフォロチオネート、トリオクチルフォスフォロチオネート、トリノニルフォスフォロチオネート、トリデシルフォスフォロチオネート、トリウンデシルフォスフォロチオネート、トリドデシルフォスフォロチオネート、トリトリデシルフォスフォロチオネート、トリテトラデシルフォスフォロチオネート、トリペンタデシルフォスフォロチオネート、トリヘキサデシルフォスフォロチオネート、トリヘプタデシルフォスフォロチオネート、トリオクタデシルフォスフォロチオネート、トリオレイルフォスフォロチオネート、トリフェニルフォスフォロチオネート、トリクレジルフォスフォロチオネート、トリキシレニルフォスフォロチオネート、クレジルジフェニルフォスフォロチオネート、キシレニルジフェニルフォスフォロチオネート、トリス（ｎ−プロピルフェニル）フォスフォロチオネート、トリス（イソプロピルフェニル）フォスフォロチオネート、トリス（ｎ−ブチルフェニル）フォスフォロチオネート、トリス（イソブチルフェニル）フォスフォロチオネート、トリス（ｓ−ブチルフェニル）フォスフォロチオネート、トリス（ｔ−ブチルフェニル）フォスフォロチオネート等、が挙げられる。また、これらの２種以上の混合物も使用できる。
【０１５８】
本発明で用いる（Ｄ）成分としては、高い極圧性と炭化物抑制性を得る点からは、（Ｄ−４）ジチオリン酸亜鉛化合物であることが好ましい。
【０１５９】
本発明の圧縮機用潤滑油組成物における（Ｄ）成分の含有量は任意であるが、組成物全量基準で、好ましくは５質量％以下、より好ましくは３質量％以下、さらに好ましくは１質量％以下、最も好ましくは０．５質量％以下である。含有量が５質量％を越えても、含有量に見合うだけの極圧性のさらなる向上効果はみられず、また炭化物やスラッジの増加を招くおそれがあるため好ましくない。一方、（Ｄ）成分の含有量は、組成物全量基準で、好ましくは０．００１質量％以上、より好ましくは０．０１質量％以上、さらに好ましくは０．０２質量％以上、最も好ましくは０．０５質量％以上である。（Ｄ）成分の含有量が０．００１質量％に満たない場合は、その添加による潤滑性の向上効果が不十分となりやすいため好ましくない。
【０１６０】
（Ｅ）油性剤としては、潤滑油の油性剤として使用される油性剤であれば特に制限されないが、潤滑性の点からは下記（Ｅ−１）〜（Ｅ−３）から選ばれる少なくとも１種の油性剤を用いることが好ましい。
【０１６１】
（Ｅ−１）エステル
（Ｅ−２）一価アルコール
（Ｅ−３）カルボン酸。
【０１６２】
（Ｅ−１）エステルを構成するアルコールは一価アルコール又は多価アルコールのいずれであってもよい。また、エステルを構成するカルボン酸は一塩基酸又は多塩基酸のいずれであってもよい。
【０１６３】
一価アルコールとしては、通常炭素数１〜２４のものが用いられ、このようなアルコールは直鎖状又は分岐状のいずれであってもよい。炭素数１〜２４の一価アルコールとしては、具体的には、メタノール、エタノール、直鎖状又は分岐状のプロパノール、直鎖状又は分岐状のブタノール、直鎖状又は分岐状のオクタノール、直鎖状又は分岐状のノナノール、直鎖状又は分岐状のデカノール、直鎖状又は分岐状のウンデカノール、直鎖状又は分岐状のドデカノール、直鎖状又は分岐状のトリデカノール、直鎖状又は分岐状のテトラデカノール、直鎖状又は分岐状のペンタデカノール、直鎖状又は分岐状のヘキサデカノール、直鎖状又は分岐状のヘプタデカノール、直鎖状又は分岐状のオクタデカノール、直鎖状又は分岐状のノナデカノール、直鎖状又は分岐状のエイコサノール、直鎖状又は分岐状のヘンエイコサノール、直鎖状又は分岐状のトリコサノール、直鎖状又は分岐状のテトラコサノール及びこれらの混合物が挙げられる。
【０１６４】
多価アルコールとしては、通常２〜１０価、好ましくは２〜６価のものが用いられる。２〜１０価アルコールとしては、具体的には、エチレングリコール、ジエチレングリコール、ポリエチレングリコール（エチレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−プロパンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン）、トリメチロールアルカン（トリメチロールエタン、トリメチロールプロパン、トリメチロールブタン等）及びこれらの２〜８量体、ペンタエリスリトール、及びこれらの２〜８量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；キシロース、アラビノース、リボース、ラムノース、グルコース、フルクトース、ガラクトース、マンノース、ソルボース、セロビオース、マルトース、イソマルトース、トレハロース、スクロース等の糖類、並びにこれらの２種以上の混合物が挙げられる。
【０１６５】
これらの中でも特に、エチレングリコール、ジエチレングリコール、ポリエチレングリコール（好ましくはエチレングリコールの３〜１０量体）、プロピレングリコール、ジプロピレングリコール、ポリプロピレングリコール（好ましくはプロピレングリコールの３〜１０重量体）、１，３−プロパンジオール、２−メチル−１，２−プロパンジオール、２−メチル−１，３−プロパンジオール、ネオペンチルグリコール、グリセリン、ジグリセリン、トリグリセリン、トリメチロールアルカン（トリメチロールエタン、トリメチロールプロパン、トリメチロールブタンなど）及びこれらの２〜４量体、ペンタエリスリトール、ジペンタエリスリトール、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール等の２〜６価アルコール、並びにこれらの２種以上の混合物が好ましい。さらに好ましくは、エチレングリコール、プロピレングリコール、ネオペンチルグリコール、グリセリン、トリメチロールエタン、トリメチロールプロパン、ペンタエリスリトール、ソルビタン、並びにこれらの２種以上の混合物である。
【０１６６】
一方、エステルを構成するカルボン酸のうち一塩基酸としては、通常、炭素数６〜２４の脂肪酸が用いられる。かかる一塩基酸は、直鎖状又は分岐状のいずれであってもよく、さらに飽和又は不飽和のいずれであってもよい。具体的には、直鎖状又は分岐鎖状のヘキサン酸、直鎖状又は分岐鎖状のオクタン酸、直鎖状又は分岐状のノナン酸、直鎖状又は分岐状のデカン酸、直鎖状又は分岐状のウンデカン酸、直鎖状又は分岐状のドデカン酸、直鎖状又は分岐状のトリデカン酸、直鎖状又は分岐状のテトラデカン酸、直鎖状又は分岐状のペンタデカン酸、直鎖状又は分岐状のヘキサデカン酸、直鎖状又は分岐状のオクタデカン酸、直鎖状又は分岐状のヒドロキシオクタデカン酸、直鎖状又は分岐状のノナデカン酸、直鎖状又は分岐状のエイコサン酸、直鎖状又は分岐鎖状のヘンエイコサン酸、直鎖状又は分岐状のドコサン酸、直鎖状又は分岐状のトリコサン酸、直鎖状又は分岐状のテトラコサン酸、などの飽和脂肪酸；直鎖状又は分岐状のヘキセン酸、直鎖状又は分岐状のヘプテン酸、直鎖状又は分岐状のオクテン酸、直鎖状又は分岐状のオクテン酸、直鎖状又は分岐状のノネン酸、直鎖状又は分岐状のデセン酸、直鎖状又は分岐状のウンデセン酸、直鎖状又は分岐状のドデセン酸、直鎖状又は分岐状のトリデセン酸、直鎖状又は分岐状のテトラデセン酸、直鎖状又は分岐状のペンタデセン酸、直鎖状又は分岐状のヘキサデセン酸、直鎖状又は分岐状のオクタデセン酸、直鎖状又は分岐状のヒドロキシオクタデセン酸、直鎖状又は分岐状のノナデセン酸、直鎖状又は分岐状のエイコセン酸、直鎖状又は分岐状のヘンエイコセン酸、直鎖状又は分岐状のドコセン酸、直鎖状又は分岐状のトリコセン酸、直鎖状又は分岐状のテトラコセン酸などの不飽和脂肪酸、並びにこれらの２種以上の混合物が挙げられる。これらの中でも、炭素数８〜２０の飽和脂肪酸、炭素数８〜２０の不飽和脂肪酸、及びこれらの２種以上の混合物が好ましい。
【０１６７】
また、エステルを構成する多塩基酸としては、炭素数２〜１６の二塩基酸及びトリメリト酸等が挙げられる。炭素数２〜１６の二塩基酸は、直鎖状又は分岐状のいずれであってもよく、また、飽和又は不飽和のいずれであってもよい。具体的には、エタン二酸、プロパン二酸、直鎖状又は分岐状のブタン二酸、直鎖状又は分岐状のペンタン二酸、直鎖状又は分岐状のヘキサン二酸、直鎖状又は分岐状のオクタン二酸、直鎖状又は分岐状のノナン二酸、直鎖状又は分岐状のデカン二酸、直鎖状又は分岐状のウンデカン二酸、直鎖状又は分岐状のドデカン二酸、直鎖状又は分岐状のトリデカン二酸、直鎖状又は分岐状のテトラデカン二酸、直鎖状又は分岐状のヘプタデカン二酸、直鎖状又は分岐状のヘキサデカン二酸；直鎖状又は分岐状のヘキセン二酸、直鎖状又は分岐状のオクテン二酸、直鎖状又は分岐状のノネン二酸、直鎖状又は分岐状のデセン二酸、直鎖状又は分岐状のウンデセン二酸、直鎖状又は分岐状のドデセン二酸、直鎖状又は分岐状のトリデセン二酸、直鎖状又は分岐状のテトラデセン二酸、直鎖状又は分岐状のヘプタデセン二酸、直鎖状又は分岐状のヘキサデセン二酸、並びにこれらの２種以上の混合物が挙げられる。
【０１６８】
エステル油性剤におけるアルコールとカルボン酸との組み合わせは任意であり、例えば下記（Ｅ−１−１）〜（Ｅ−１−７）に示す組み合わせが挙げられる。
【０１６９】
（Ｅ−１−１）一価アルコールと一塩基酸とのエステル
（Ｅ−１−２）多価アルコールと一塩基酸とのエステル
（Ｅ−１−３）一価アルコールと多塩基酸とのエステル
（Ｅ−１−４）多価アルコールと多塩基酸とのエステル
（Ｅ−１−５）一価アルコール及び多価アルコールの混合アルコールと多塩基酸とのエステル
（Ｅ−１−６）多価アルコールと一塩基酸及び多塩基酸の混合カルボン酸とのエステル
（Ｅ−１−７）一価アルコール及び多価アルコールの混合アルコールと一塩基酸及び多塩基酸の混合カルボン酸とのエステル。
【０１７０】
なお、アルコール成分として多価アルコールを用いる場合、得られるエステルは、多価アルコール中の全ての水酸基がエステル化された完全エステルであってもよく、水酸基の一部がエステル化されずに水酸基のままで残存している部分エステルであってもよい。また、カルボン酸成分として多塩基酸を用いる場合、多塩基酸中の全てのカルボキシル基がエステル化された完全エステルであってもよく、カルボキシル基の一部がエステル化されずにカルボキシル基のままで残存している部分エステルであってもよい。
【０１７１】
上記（Ｅ−１−１）〜（Ｅ−１−７）に示した組み合わせの中でも、より潤滑性に優れる点から、（Ｅ−１−１）一価アルコールと一塩基酸とのエステルが好ましい。
【０１７２】
本発明において油性剤として用いられる（Ｅ−１）エステルの総炭素数は特に制限されないが、潤滑性の向上効果に優れる点から、エステルの総炭素数は、７以上が好ましく、９以上がより好ましく、１１以上がさらに好ましい。また、エステルの総炭素数は、２６以下が好ましく、２４以下がより好ましく、２２以下がさらに好ましい。
【０１７３】
油性剤として用いられる（Ｅ−２）一価アルコールとしては、上記（Ｅ−１）エステルの説明において例示された一価アルコール等が挙げられる。一価アルコールの炭素数は、より潤滑性に優れる点から、６以上が好ましく、８以上がより好ましく、１０以上がさらに好ましい。また、一価アルコールの炭素数は、２０以下が好ましく、１８以下がより好ましく、１６以下がさらに好ましい。
【０１７４】
油性剤として用いられる（Ｅ−３）カルボン酸としては、一塩基酸又は多塩基酸のいずれであってもよく、あるいはこれらの混合物であってもよい。一塩基酸及び多塩基酸としてはそれぞれ上記（Ｅ−１）エステルの説明において例示された一塩基酸及び多塩基酸が挙げられる。中でも、より潤滑性に優れる点から、一塩基酸が好ましい、また、カルボン酸の炭素数は、より潤滑性に優れる点から、６以上が好ましく、８以上がより好ましく、１０以上がさらに好ましい。他方、カルボン酸の炭素数は、２０以下が好ましく、１８以下がより好ましく、１６以下がさらに好ましい。
【０１７５】
本発明の圧縮機用潤滑油組成物においては、上記（Ｅ−１）〜（Ｅ−３）の油性剤のうちの１種のみを単独で用いてもよく、２種以上を組み合わせてもよいが、潤滑性をより向上できることから、一価アルコールと一塩基酸とから得られる総炭素数７〜２６のエステル、炭素数６〜２０の一価アルコール、炭素数６〜２０の一塩基酸、並びにこれらの２種以上の混合物が好ましい。
【０１７６】
本発明の圧縮機用潤滑油組成物における（Ｅ）油性剤の含有量の合計は、組成物全量を基準として、０．１〜１５質量％であることが好ましい。すなわち、潤滑性の点から、当該含有量の合計は、好ましくは０．１質量％以上、より好ましくは０．２質量％以上、さらに好ましくは０．５質量％以上である。また、当該含有量の合計は、好ましくは１５質量％以下、より好ましくは１２質量％以下、さらに好ましくは１０質量％以下である。
【０１７７】
本発明の圧縮機用潤滑油組成物には、その各種性能をさらに高める目的で、上記（Ｂ）〜（Ｅ）以外の潤滑油添加剤、例えば、さび止め剤、腐食防止剤、流動点降下剤、消泡剤などを単独で、又は数種類組み合わせて配合することができる。
【０１７８】
さび止め剤としては、例えば、脂肪族アミン類、有機スルホン酸金属塩、有機リン酸金属塩、アルケニルコハク酸エステル、多価アルコールエステル等が挙げられる。
【０１７９】
腐食防止剤としては、例えば、ベンゾトリアゾール系、チアジアゾール系、イミダゾール系の化合物等が挙げられる。
【０１８０】
流動点降下剤としては、潤滑油基油に適合するポリメタクリレート系のポリマー等が挙げられる。
【０１８１】
消泡剤としては、例えば、ジメチルシリコーン等のシリコーン類が挙げられる。
【０１８２】
これらの添加剤の配合量は任意に選ぶことができるが、潤滑油組成物全量基準での各添加剤の含有量は、通常、流動点降下剤では０．０１〜５．０質量％、さび止め剤及び腐食防止剤ではそれぞれ０．０１〜３．０質量％、消泡剤では０．００００１〜０．０５質量％となるように配合するのが望ましい。
【０１８３】
本発明の圧縮機用潤滑油組成物は、あらゆるタイプの圧縮機用潤滑油として使用可能であるが、中でも往復動式圧縮機の潤滑油として好適である。特に、吐出ガス圧が０．３ＭＰａ以上、及び／又は吐出ガス温度が８０℃以上である往復動式圧縮機に使用した場合に本発明による効果がより発揮される。同様の理由から、上記吐出ガス圧については、０．３５ＭＰａ以上である場合が好ましく、より好ましくは０．４ＭＰａ以上であり、さらにより好ましくは０．４５ＭＰａ以上である。一方、その吐出ガス圧は、１００ＭＰａ以下である場合が好ましく、より好ましくは７５ＭＰａ以下であり、さらにより好ましくは５０ＭＰａ以下である。また吐出ガス温度については、９０℃以上である場合が好ましく、１００℃以上であることがより好ましく、さらにより好ましくは１１０℃以上である。一方、その吐出ガス温度は、４００℃以下であることが好ましく、より好ましくは３５０℃以下であり、さらにより好ましくは３００℃以下である。
【実施例】
【０１８４】
以下、実施例及び比較例に基づき本発明をさらに具体的に説明するが、本発明は以下の実施例に何ら限定されるものではない。
【０１８５】
［実施例１〜１０、比較例１、２］
本発明の潤滑油組成物（実施例１〜１０）及び比較のための潤滑油組成物（比較例１〜２）を表１に示す組成によりそれぞれ調製した。なお、使用した各成分は以下の通りである。
【０１８６】
（Ａ）基油：
Ａ１：フタル酸とオクタノールとのジエステル（４０℃における動粘度：４６ｍｍ２／ｓ）
Ａ２：トリメリット酸とオクタノールとのトリエステル（４０℃における動粘度：９０ｍｍ２／ｓ）
（Ｂ）ポリブテン又はその水素化物：
Ｂ１：ポリイソブテンの水素化物（数平均分子量：４５０）
（Ｃ）炭化物抑制剤：
Ｃ１：炭素数１２の分岐アルキル基を有するアルキルフェニル−α−ナフチルアミン
Ｃ２：炭素数８の分岐アルキル基を有するジアルキルジフェニルアミン
Ｃ３：ビス（３，５−ジ−ｔｅｒｔ−ブチル−４−ヒドロキシフェニル）メタン
（Ｄ）極圧剤：
Ｄ１：炭素数８のアルキル基を有するジチオリン酸亜鉛
（Ｆ）その他の添加剤：
Ｆ１：ソルビタンモノオレート（さび止め剤）
Ｆ２：ジメチルポリシロキサン（消泡剤）
次に、実施例１〜１０及び比較例１、２の各潤滑油組成物を用いてベンチスケール実機試験を行い、（１）炭化物抑制性及び（２）潤滑性について評価した。試験装置及び試験条件を以下に示す。
【０１８７】
試験装置：単段往復動圧縮機（モータ出力：２．２ｋＷ）
圧縮ガス：空気
吐出圧力：０．８±０．１ＭＰａ
吐出空気温度：２４０℃
試験時間：２００時間。
（１）炭化物抑制性の評価
試験後の吐出弁における炭化物の生成量（付着量）を目視観察し、以下の基準に基づいて炭化物抑制性を評価した。結果を表１に示す。
【０１８８】
５：炭化物の付着は殆ど無い
４：炭化物の付着量は少ない
３：炭化物が全面に薄く付着している
２：炭化物が全面に厚みを持って付着している
１：炭化物が全面に厚く付着し、弁孔の一部に目詰まりが発生している。
（２）潤滑性の評価
試験後のピストントップ部のリングランド部分における縦傷の数及びその深さを目視観察し、以下の基準に基づいて潤滑性を評価した。結果を表１に示す。
【０１８９】
５：縦傷が無い
４：縦傷が僅かにある
３：縦傷があるが浅い傷である
２：多くの縦傷があるが浅い傷である
１：多くの縦傷があり、深い傷である。
【０１９０】
【表１】
2005036194.tif 000036
【０１９１】
【表２】
2005036194.tif 000037